(57)【要約】  画像符号化方法は、複数のピクチャから第１ピクチャを選択する選択ステップ（Ｓ１４１）と、時間動きベクトル予測が用いられるか否かを示す時間動きベクトル予測フラグであって、第１ピクチャに対応付けられた第１時間動きベクトル予測フラグを時間動きベクトル予測が用いられないに設定し、当該第１時間動きベクトル予測フラグを符号化する第１設定ステップ（Ｓ１４２）と、第１ピクチャを時間動きベクトル予測を用いずに符号化する第１符号化ステップ（Ｓ１４３）と、第１ピクチャにより符号化順が後の第２ピクチャを、第１ピクチャより符号化順が前のピクチャの動きベクトルを参照することを禁止して符号化する第２符号化ステップ（Ｓ１４４）とを含む。
2013114860.tif 000002
【特許請求の範囲】
【請求項１】
複数のピクチャから第１ピクチャを選択する選択ステップと、
時間動きベクトル予測が用いられるか否かを示す時間動きベクトル予測フラグであって、前記第１ピクチャに対応付けられた第１時間動きベクトル予測フラグを時間動きベクトル予測が用いられないに設定し、当該第１時間動きベクトル予測フラグを符号化する第１設定ステップと、
前記第１ピクチャを時間動きベクトル予測を用いずに符号化する第１符号化ステップと、
前記第１ピクチャにより符号化順が後の第２ピクチャを、前記第１ピクチャより符号化順が前のピクチャの動きベクトルを参照することを禁止して符号化する第２符号化ステップとを含む
画像符号化方法。
【請求項２】
複数のピクチャには時間レベルが設定されており、
前記選択ステップでは、前記複数のピクチャのうち、最大の前記時間レベルを有するピクチャを前記第１ピクチャとして選択する
請求項１記載の画像符号化方法。
【請求項３】
前記第２符号化ステップは、
前記第２ピクチャが、前記第１ピクチャより符号化順序が前のコーロケーテッド参照ピクチャを有するか否かを判定する判定ステップと、
前記第２ピクチャが、前記第１ピクチャより符号化順序が前のコーロケーテッド参照ピクチャを有する場合、
（１）前記第２ピクチャに対応付けられた前記時間動きベクトル予測フラグである第２時間動きベクトル予測フラグを前記時間動きベクトル予測が用いられないに設定し、
（２）当該第２時間動きベクトル予測フラグを符号化し、
（３）当該第２ピクチャを時間動きベクトル予測を用いずに符号化する第２設定ステップと、
前記第２ピクチャが、前記第１ピクチャより符号化順序が前のコーロケーテッド参照ピクチャを有さない場合、
（１）前記第２時間動きベクトル予測フラグを、前記時間動きベクトル予測が用いられない、又は、前記時間動きベクトル予測が用いられるに設定し、
（２）当該第２時間動きベクトル予測フラグを符号化し、
（３）当該第２ピクチャを時間動きベクトル予測を用いて、又は用いずに符号化する第３設定ステップとを含む
請求項１又は２記載の画像符号化方法。
【請求項４】
前記第２符号化ステップは、
前記第２ピクチャの表示順が前記第１ピクチャより前であるか否かを判定する第１判定ステップと、
前記第２ピクチャが、前記第１ピクチャより符号化順序又は表示順が前のコーロケーテッド参照ピクチャを有するか否かを判定する第２判定ステップと、
前記第２ピクチャの表示順が前記第１ピクチャより後であり、かつ、前記第２ピクチャが、前記第１ピクチャより符号化順序又は表示順が前のコーロケーテッド参照ピクチャを有する場合、
（１）前記第２ピクチャに対応付けられた前記時間動きベクトル予測フラグである第２時間動きベクトル予測フラグを前記時間動きベクトル予測が用いられないに設定し、
（２）当該第２時間動きベクトル予測フラグを符号化し、
（３）当該第２ピクチャを時間動きベクトル予測を用いずに符号化する第２設定ステップと、
（１）前記第２ピクチャの表示順が前記第１ピクチャより前である場合、又は、（２）前記第２ピクチャの表示順が前記第１ピクチャより後であり、かつ、前記第２ピクチャが、前記第１ピクチャより符号化順序又は表示順が前のコーロケーテッド参照ピクチャを有さない場合、
（１）前記第２ピクチャに対応付けられた前記時間動きベクトル予測フラグである第２時間動きベクトル予測フラグを前記時間動きベクトル予測が用いられないに設定し、
（２）当該第２時間動きベクトル予測フラグを符号化し、
（３）当該第２ピクチャを時間動きベクトル予測を用いずに符号化する第３設定ステップとを含む
請求項１又は２記載の画像符号化方法。
【請求項５】
前記第１設定ステップでは、時間動きベクトル予測が用いられないことを示す前記第１時間動きベクトル予測フラグを、前記第１ピクチャに含まれる全てのスライスのヘッダに書き込む
請求項１〜４のいずれか１項に記載の画像符号化方法。
【請求項６】
前記画像符号化方法は、さらに、
前記時間動きベクトル予測フラグが時間動きベクトル予測が用いられると示す場合、コーロケーテッド参照ピクチャの動きベクトルから導出される時間動きベクトルの予測値を含む複数の動きベクトルの予測値を示す第１リストを作成する第１リスト生成ステップと、
前記時間動きベクトル予測フラグで、時間動きベクトル予測が用いられないと示されている場合、前記時間動きベクトルの予測値を含まない複数の動きベクトルの予測値を示す第２リストを作成する第２リスト生成ステップとを含む
請求項１〜５のいずれか１項に記載の画像符号化方法。
【請求項７】
符号化ビットストリームから、時間動きベクトル予測が用いられるか否かを示す時間動きベクトル予測フラグであって、第１ピクチャに時間動きベクトル予測が用いられないことを示す第１時間動きベクトル予測フラグを取得する取得ステップと、
前記第１ピクチャを時間動きベクトル予測を用いずに復号する第１復号ステップと、
前記第１ピクチャにより復号順が後の第２ピクチャを、前記第１ピクチャより復号順が前のピクチャの動きベクトルを参照することを禁止して復号する第２復号ステップとを含む
画像復号方法。
【請求項８】
複数のピクチャには時間レベルが設定されており、
前記第１ピクチャは、前記複数のピクチャのうち、最大の前記時間レベルを有するピクチャである
請求項７記載の画像復号方法。
【請求項９】
前記取得ステップでは、時間動きベクトル予測が用いられないことを示す前記第１時間動きベクトル予測フラグを、前記第１ピクチャに含まれる全てのスライスのヘッダから取得する
請求項７又は８記載の画像復号方法。
【請求項１０】
前記画像復号方法は、さらに、
前記時間動きベクトル予測フラグで、時間動きベクトル予測が用いられると示されている場合、コーロケーテッド参照ピクチャの動きベクトルから導出される時間動きベクトルの予測値を含む複数の動きベクトルの予測値を示す第１リストを作成する第１リスト生成ステップと、
前記時間動きベクトル予測フラグで、時間動きベクトル予測が用いられないと示されている場合、前記時間動きベクトルの予測値を含まない複数の動きベクトルの予測値を示す第２リストを作成する第２リスト生成ステップとを含む
請求項７〜９のいずれか１項に記載の画像復号方法。
【請求項１１】
複数のピクチャから第１ピクチャを選択し、時間動きベクトル予測が用いられるか否かを示す時間動きベクトル予測フラグであって、前記第１ピクチャに対応付けられた第１時間動きベクトル予測フラグを時間動きベクトル予測が用いられないに設定する設定部と、
前記第１時間動きベクトル予測フラグを符号化し、前記第１ピクチャを時間動きベクトル予測を用いずに符号化し、前記第１ピクチャにより符号化順が後の第２ピクチャを、前記第１ピクチャより符号化順が前のピクチャの動きベクトルを参照することを禁止して符号化する符号化部とを備える
画像符号化装置。
【請求項１２】
符号化ビットストリームから、時間動きベクトル予測が用いられるか否かを示す時間動きベクトル予測フラグであって、第１ピクチャに時間動きベクトル予測が用いられないことを示す第１時間動きベクトル予測フラグを取得する取得部と、
前記第１ピクチャを時間動きベクトル予測を用いずに復号し、前記第１ピクチャにより復号順が後の第２ピクチャを、前記第１ピクチャより復号順が前のピクチャの動きベクトルを参照することを禁止して復号する復号部とを備える
画像復号装置。
【請求項１３】
請求項１１記載の画像符号化装置と、
請求項１２記載の画像復号装置とを備える
画像符号化復号装置。
【発明の詳細な説明】
【技術分野】
【０００１】
本発明は、画像符号化方法及び画像復号方法に関する。
【背景技術】
【０００２】
Ｈ．２６４／ＭＰＥＧ−４  ＡＶＣ、及び次世代ＨＥＶＣ（Ｈｉｇｈ−Ｅｆｆｉｃｉｅｎｃｙ  Ｖｉｄｅｏ  Ｃｏｄｉｎｇ：高効率画像圧縮符号化）といった最先端の画像符号化方式では、以前に符号化又は復号された参照ピクチャを利用するピクチャ間予測を用いて画像又は画像コンテンツを符号化又は復号する。このように、画像符号化方式では、時間的に連続するピクチャ間の情報冗長性を有効が利用される（例えば、非特許文献１参照）。
【先行技術文献】
【非特許文献】
【０００３】
【非特許文献１】ＩＳＯ／ＩＥＣ  １４４９６−１０「ＭＰＥＧ−４  Ｐａｒｔ  １０  Ａｄｖａｎｃｅｄ  Ｖｉｄｅｏ  Ｃｏｄｉｎｇ」
【発明の概要】
【発明が解決しようとする課題】
【０００４】
このような画像符号化方法及び画像復号方法では、ロバスト性を向上することが望まれている。【０００５】
そこで本発明は、ロバスト性を向上できる画像符号化方法及び画像復号方法を提供することを目的とする。
【課題を解決するための手段】
【０００６】
上記目的を達成するために、本発明の一態様に係る画像符号化方法は、複数のピクチャから第１ピクチャを選択する選択ステップと、時間動きベクトル予測が用いられるか否かを示す時間動きベクトル予測フラグであって、前記第１ピクチャに対応付けられた第１時間動きベクトル予測フラグを時間動きベクトル予測が用いられないに設定し、当該第１時間動きベクトル予測フラグを符号化する第１設定ステップと、前記第１ピクチャを時間動きベクトル予測を用いずに符号化する第１符号化ステップと、前記第１ピクチャにより符号化順が後の第２ピクチャを、前記第１ピクチャより符号化順が前のピクチャの動きベクトルを参照することを禁止して符号化する第２符号化ステップとを含む。【０００７】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【発明の効果】
【０００８】
本発明は、ロバスト性を向上できる画像符号化方法及び画像復号方法を提供できる。
【図面の簡単な説明】
【０００９】
【図１】図１は、実施の形態１に係る画像符号化装置のブロック図である。
【図２】図２は、実施の形態１に係る画像符号化方法のフローチャートである。
【図３】図３は、実施の形態１に係る画像符号化方法のフローチャートである。
【図４Ａ】図４Ａは、実施の形態１に係る画像符号化方法のフローチャートである。
【図４Ｂ】図４Ｂは、実施の形態１に係る画像符号化方法を説明するための図である。
【図４Ｃ】図４Ｃは、実施の形態１に係る画像符号化方法を説明するための図である。
【図５】図５は、実施の形態１に係る画像符号化方法の変形例のフローチャートである。
【図６】図６は、実施の形態１に係る符号化ビットストリームの構成例を示す図である。
【図７】図７は、実施の形態１に係る画像復号装置のブロック図である。
【図８】図８は、実施の形態１に係る画像復号方法のフローチャートである。
【図９】図９は、実施の形態１に係る画像復号方法のフローチャートである。
【図１０】図１０は、コンテンツ配信サービスを実現するコンテンツ供給システムの全体構成図である。
【図１１】図１１は、デジタル放送用システムの全体構成図である。
【図１２】図１２は、テレビの構成例を示すブロック図である。
【図１３】図１３は、光ディスクである記録メディアに情報の読み書きを行う情報再生／記録部の構成例を示すブロック図である。
【図１４】図１４は、光ディスクである記録メディアの構造例を示す図である。
【図１５Ａ】図１５Ａは、携帯電話の一例を示す図である。
【図１５Ｂ】図１５Ｂは、携帯電話の構成例を示すブロック図である。
【図１６】図１６は、多重化データの構成を示す図である。
【図１７】図１７は、各ストリームが多重化データにおいてどのように多重化されているかを模式的に示す図である。
【図１８】図１８は、ＰＥＳパケット列に、ビデオストリームがどのように格納されるかを更に詳しく示した図である。
【図１９】図１９は、多重化データにおけるＴＳパケットとソースパケットの構造を示す図である。
【図２０】図２０は、ＰＭＴのデータ構成を示す図である。
【図２１】図２１は、多重化データ情報の内部構成を示す図である。
【図２２】図２２は、ストリーム属性情報の内部構成を示す図である。
【図２３】図２３は、映像データを識別するステップを示す図である。
【図２４】図２４は、各実施の形態の動画像符号化方法および動画像復号化方法を実現する集積回路の構成例を示すブロック図である。
【図２５】図２５は、駆動周波数を切り替える構成を示す図である。
【図２６】図２６は、映像データを識別し、駆動周波数を切り替えるステップを示す図である。
【図２７】図２７は、映像データの規格と駆動周波数を対応づけたルックアップテーブルの一例を示す図である。
【図２８Ａ】図２８Ａは、信号処理部のモジュールを共有化する構成の一例を示す図である。
【図２８Ｂ】図２８Ｂは、信号処理部のモジュールを共有化する構成の他の一例を示す図である。
【発明を実施するための形態】
【００１０】
（本発明の基礎となった知見）
本発明者は、従来の技術に関し、以下の問題が生じることを見出した。
【００１１】
画像復号装置は、予測単位（Ｍ×Ｎのサンプルブロックなど）に対するインター予測処理に用いられた参照ピクチャを、参照インデックスを用いて特定する。参照インデックスとは、参照ピクチャリストに含まれる１以上の参照ピクチャに付けられるインデックスである。また、参照ピクチャリストは、１以上の参照ピクチャを示す順序付きリストである。また、参照インデックスは、復号ピクチャバッファ（ＤＰＢ）内の参照ピクチャと一意的に関連付けられる。
【００１２】
最先端の画像符号化方式では、動きベクトルの時間予測が行われる。対象サンプルブロックの動きベクトルは、コーロケーテッド（ｃｏｌｏｃａｔｅｄ）参照ピクチャに含まれる、以前に符号化された１以上のサンプルブロックの動きベクトルから予測される。このコーロケーテッド参照ピクチャは、所定の方式を用いて、利用可能な参照ピクチャの中から選択される。例えば、所定の参照ピクチャリスト（参照ピクチャリスト０など）に含まれる参照ピクチャのうち、１番目の参照ピクチャがコーロケーテッド参照ピクチャとして選択される。
【００１３】
不可逆圧縮を用いた画像の伝送が必要なアプリケーションにおいて、コーロケーテッド参照ピクチャが失われたり、エラーを含んだりする場合、時間動きベクトル予測は、動きベクトルの誤った予測の影響を受けやすい。従来のＨＥＶＣ画像符号化方式では、マーキングフラグをピクチャパラメータセット（ＰＰＳ）に配置することで、復号ピクチャバッファ（ＤＰＢ）に含まれる全ピクチャを「時間動きベクトル予測に不使用」としてマークする。このマーキング処理は、マーキングフラグが「ＴＲＵＥ」であるＰＰＳをスライスが参照する際に行われる。
【００１４】
この方式には、マーキング処理が行われるスライスが失われたりエラーを含んだりする場合に、意図したマーキング処理と、それに続くエンコーダとデコーダとの間の同期とをビデオデコーダが実行できないという課題があることを本発明者は見出した。そのため、時間動きベクトル予測を無効にする上記方式はロバスト性が低い。
【００１５】
本実施の形態では、時間動きベクトル予測を無効にする画像符号化方法及び画像復号方法において、エラーロバスト性を向上させる方法を説明する。本実施の形態に係る画像符号化方法及び画像復号方法は、参照ピクチャを「時間動きベクトル予測に不使用」としてマークする処理を削除することができ、上記方式におけるエラーに対する脆弱性を取り除くことができる。本実施の形態の効果は、時間動きベクトル予測処理のエラーロバスト性が向上されることである。
【００１６】
本実施の形態の一態様に係る画像符号化方法は、複数のピクチャから第１ピクチャを選択する選択ステップと、時間動きベクトル予測が用いられるか否かを示す時間動きベクトル予測フラグであって、前記第１ピクチャに対応付けられた第１時間動きベクトル予測フラグを時間動きベクトル予測が用いられないに設定し、当該第１時間動きベクトル予測フラグを符号化する第１設定ステップと、前記第１ピクチャを時間動きベクトル予測を用いずに符号化する第１符号化ステップと、前記第１ピクチャにより符号化順が後の第２ピクチャを、前記第１ピクチャより符号化順が前のピクチャの動きベクトルを参照することを禁止して符号化する第２符号化ステップとを含む。
【００１７】
これによれば、第１ピクチャより後の第２ピクチャが、第１ピクチャより前のピクチャの動きベクトルを参照することが禁止される。これにより、当該画像符号化方法は、第１ピクチャを跨いでエラーが伝播することを防止できるので、ロバスト性を向上できる。
【００１８】
例えば、複数のピクチャには時間レベルが設定されており、前記選択ステップでは、前記複数のピクチャのうち、最大の前記時間レベルを有するピクチャを前記第１ピクチャとして選択してもよい。
【００１９】
これによれば、優先度の高いピクチャが第１ピクチャに設定される。これにより、エラーの伝播をより適切に防止できる。
【００２０】
例えば、前記第２符号化ステップは、前記第２ピクチャが、前記第１ピクチャより符号化順序が前のコーロケーテッド参照ピクチャを有するか否かを判定する判定ステップと、前記第２ピクチャが、前記第１ピクチャより符号化順序が前のコーロケーテッド参照ピクチャを有する場合、（１）前記第２ピクチャに対応付けられた前記時間動きベクトル予測フラグである第２時間動きベクトル予測フラグを前記時間動きベクトル予測が用いられないに設定し、（２）当該第２時間動きベクトル予測フラグを符号化し、（３）当該第２ピクチャを時間動きベクトル予測を用いずに符号化する第２設定ステップと、前記第２ピクチャが、前記第１ピクチャより符号化順序が前のコーロケーテッド参照ピクチャを有さない場合、（１）前記第２時間動きベクトル予測フラグを、前記時間動きベクトル予測が用いられない、又は、前記時間動きベクトル予測が用いられるに設定し、（２）当該第２時間動きベクトル予測フラグを符号化し、（３）当該第２ピクチャを時間動きベクトル予測を用いて、又は用いずに符号化する第３設定ステップとを含んでもよい。
【００２１】
例えば、前記第２符号化ステップは、前記第２ピクチャの表示順が前記第１ピクチャより前であるか否かを判定する第１判定ステップと、前記第２ピクチャが、前記第１ピクチャより符号化順序又は表示順が前のコーロケーテッド参照ピクチャを有するか否かを判定する第２判定ステップと、前記第２ピクチャの表示順が前記第１ピクチャより後であり、かつ、前記第２ピクチャが、前記第１ピクチャより符号化順序又は表示順が前のコーロケーテッド参照ピクチャを有する場合、（１）前記第２ピクチャに対応付けられた前記時間動きベクトル予測フラグである第２時間動きベクトル予測フラグを前記時間動きベクトル予測が用いられないに設定し、（２）当該第２時間動きベクトル予測フラグを符号化し、（３）当該第２ピクチャを時間動きベクトル予測を用いずに符号化する第２設定ステップと、（１）前記第２ピクチャの表示順が前記第１ピクチャより前である場合、又は、（２）前記第２ピクチャの表示順が前記第１ピクチャより後であり、かつ、前記第２ピクチャが、前記第１ピクチャより符号化順序又は表示順が前のコーロケーテッド参照ピクチャを有さない場合、（１）前記第２ピクチャに対応付けられた前記時間動きベクトル予測フラグである第２時間動きベクトル予測フラグを前記時間動きベクトル予測が用いられないに設定し、（２）当該第２時間動きベクトル予測フラグを符号化し、（３）当該第２ピクチャを時間動きベクトル予測を用いずに符号化する第３設定ステップとを含んでもよい。
【００２２】
例えば、前記第１設定ステップでは、時間動きベクトル予測が用いられないことを示す前記第１時間動きベクトル予測フラグを、前記第１ピクチャに含まれる全てのスライスのヘッダに書き込んでもよい。
【００２３】
これによれば、スライスごとに時間動きベクトル予測を用いるか否かを示すフラグを用いて、第１ピクチャを設定できる。これにより、符号化ビットストリームのデータ量の増加を抑制しつつ、ロバスト性の向上を実現できる。
【００２４】
例えば、前記画像符号化方法は、さらに、前記時間動きベクトル予測フラグが時間動きベクトル予測が用いられると示す場合、コーロケーテッド参照ピクチャの動きベクトルから導出される時間動きベクトルの予測値を含む複数の動きベクトルの予測値を示す第１リストを作成する第１リスト生成ステップと、前記時間動きベクトル予測フラグで、時間動きベクトル予測が用いられないと示されている場合、前記時間動きベクトルの予測値を含まない複数の動きベクトルの予測値を示す第２リストを作成する第２リスト生成ステップとを含んでもよい。
【００２５】
これによれば、時間動きベクトル予測が用いられない場合のデータ量を削減できる。
【００２６】
また、本実施の形態の一態様に係る画像復号方法は、符号化ビットストリームから、時間動きベクトル予測が用いられるか否かを示す時間動きベクトル予測フラグであって、第１ピクチャに時間動きベクトル予測が用いられないことを示す第１時間動きベクトル予測フラグを取得する取得ステップと、前記第１ピクチャを時間動きベクトル予測を用いずに復号する第１復号ステップと、前記第１ピクチャにより復号順が後の第２ピクチャを、前記第１ピクチャより復号順が前のピクチャの動きベクトルを参照することを禁止して復号する第２復号ステップとを含む。
【００２７】
これによれば、第１ピクチャより後の第２ピクチャが、第１ピクチャより前のピクチャの動きベクトルを参照することが禁止される。これにより、当該画像復号方法は、第１ピクチャを跨いでエラーが伝播することを防止できるので、ロバスト性を向上できる。
【００２８】
例えば、複数のピクチャには時間レベルが設定されており、前記第１ピクチャは、前記複数のピクチャのうち、最大の前記時間レベルを有するピクチャであってもよい。
【００２９】
これによれば、優先度の高いピクチャが第１ピクチャに設定される。これにより、エラーの伝播をより適切に防止できる。
【００３０】
例えば、前記取得ステップでは、時間動きベクトル予測が用いられないことを示す前記第１時間動きベクトル予測フラグを、前記第１ピクチャに含まれる全てのスライスのヘッダから取得してもよい。
【００３１】
これによれば、スライスごとに時間動きベクトル予測を用いるか否かを示すフラグを用いて、第１ピクチャを設定できる。これにより、符号化ビットストリームのデータ量の増加を抑制しつつ、ロバスト性の向上を実現できる。
【００３２】
例えば、前記画像復号方法は、さらに、前記時間動きベクトル予測フラグで、時間動きベクトル予測が用いられると示されている場合、コーロケーテッド参照ピクチャの動きベクトルから導出される時間動きベクトルの予測値を含む複数の動きベクトルの予測値を示す第１リストを作成する第１リスト生成ステップと、前記時間動きベクトル予測フラグで、時間動きベクトル予測が用いられないと示されている場合、前記時間動きベクトルの予測値を含まない複数の動きベクトルの予測値を示す第２リストを作成する第２リスト生成ステップとを含んでもよい。
【００３３】
これによれば、時間動きベクトル予測が用いられない場合のデータ量を削減できる。
【００３４】
また、本実施の形態の一態様に係る画像符号化装置は、複数のピクチャから第１ピクチャを選択し、時間動きベクトル予測が用いられるか否かを示す時間動きベクトル予測フラグであって、前記第１ピクチャに対応付けられた第１時間動きベクトル予測フラグを時間動きベクトル予測が用いられないに設定する設定部と、前記第１時間動きベクトル予測フラグを符号化し、前記第１ピクチャを時間動きベクトル予測を用いずに符号化し、前記第１ピクチャにより符号化順が後の第２ピクチャを、前記第１ピクチャより符号化順が前のピクチャの動きベクトルを参照することを禁止して符号化する符号化部とを備える。
【００３５】
この構成によれば、第１ピクチャより後の第２ピクチャが、第１ピクチャより前のピクチャの動きベクトルを参照することが禁止される。これにより、当該画像符号化装置は、第１ピクチャを跨いでエラーが伝播することを防止できるので、ロバスト性を向上できる。
【００３６】
また、本実施の形態の一態様に係る画像復号装置は、符号化ビットストリームから、時間動きベクトル予測が用いられるか否かを示す時間動きベクトル予測フラグであって、第１ピクチャに時間動きベクトル予測が用いられないことを示す第１時間動きベクトル予測フラグを取得する取得部と、前記第１ピクチャを時間動きベクトル予測を用いずに復号し、前記第１ピクチャにより復号順が後の第２ピクチャを、前記第１ピクチャより復号順が前のピクチャの動きベクトルを参照することを禁止して復号する復号部とを備える。
【００３７】
この構成によれば、第１ピクチャより後の第２ピクチャが、第１ピクチャより前のピクチャの動きベクトルを参照することが禁止される。これにより、当該画像復号装置は、第１ピクチャを跨いでエラーが伝播することを防止できるので、ロバスト性を向上できる。
【００３８】
また、本実施の形態の一態様に係る画像符号化復号装置は、前記画像符号化装置と、前記画像復号装置とを備える。
【００３９】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【００４０】
以下、実施の形態について、図面を参照しながら説明する。
【００４１】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４２】
（実施の形態１）
［符号化装置］
まず、本実施の形態に係る画像符号化装置の構成を説明する。図１は、本実施の形態に係る画像符号化装置１００の構造を示すブロック図である。
【００４３】
図１に示す画像符号化装置１００は、入力画像１２０（入力画像ビットストリーム）をブロック単位で符号化することにより符号化ビットストリーム１３２を生成する。この画像符号化装置１００は、減算器１０１と、直交変換部１０２と、量子化部１０３と、逆量子化部１０４と、逆直交変換部１０５と、加算器１０６と、ブロックメモリ１０７と、フレームメモリ１０８（ピクチャメモリ）と、イントラ予測部１０９と、インター予測部１１０と、切替部１１１と、可変長符号化部１１２（エントロピー符号化部）と、制御部１１３とを備える。
【００４４】
減算器１０１は、入力画像１２０から予測画像１３１を減算することにより残差信号１２１を生成する。直交変換部１０２は、残差信号１２１を周波数係数に変換することにより変換係数１２２を生成する。量子化部１０３は、変換係数１２２を量子化することにより量子化係数１２３を生成する。可変長符号化部１１２は、量子化係数１２３を可変長符号化（エントロピー符号化）することにより符号化ビットストリーム１３２を生成する。
【００４５】
逆量子化部１０４は、量子化係数１２３を逆量子化することにより変換係数１２４を生成する。逆直交変換部１０５は、変換係数１２４を逆周波数変換することにより残差信号１２５を生成する。加算器１０６は、残差信号１２５と予測画像１３１とを加算することにより復号画像１２６を生成する。この復号画像１２６は、ブロックメモリ１０７に画像信号１２７として格納されるとともに、フレームメモリ１０８に画像信号１２８として格納される。これらの画像信号１２７及び１２８は、今後の予測処理に用いられる。
【００４６】
イントラ予測部１０９は、ブロックメモリ１０７に格納された画像信号１２７を用いてイントラ予測処理を行うことで予測画像１２９を生成する。例えば、イントラ予測部１０９は、処理対象の画像に含まれる処理済の画像領域から、処理対象の画像領域に最も類似する画像領域を検出する。インター予測部１１０は、フレームメモリ１０８に格納された画像信号１２８を用いて、インター予測処理を行うことで予測画像１３０を生成する。例えば、インター予測部１１０は、処理済の他の画像に含まれる、処理対象の画像領域に最も類似する画像領域を検出する。切替部１１１は、予測画像１２９及び１３０の一方を選択し、選択した予測画像を予測画像１３１として出力する。
【００４７】
制御部１１３は、処理対象のスライスのインター予測に時間動きベクトル予測を用いるか否かを判定し、その判定結果を示す信号である時間動きベクトル予測フラグ１３３をインター予測部１１０及び可変長符号化部１１２に出力する。この判定結果に基づき、インター予測部１１０は、時間動きベクトルの予測値を用いたり用いなかったりしてインター予測を行う。また、可変長符号化部１１２は、時間動きベクトル予測フラグ１３３を含む符号化ビットストリーム１３２を生成する。また、時間動きベクトル予測とは、他のピクチャに含まれる動きベクトルを動きベクトルの予測値として用いて動きベクトル予測を行う処理である。
【００４８】
［符号化処理］
次に、上述した画像符号化装置１００の動作を説明する。
【００４９】
図２は、本実施の形態に係る画像符号化処理のフローチャートである。
【００５０】
まず、画像符号化装置１００は、複数の参照ピクチャリスト順序パラメータをスライスヘッダに書き込み、当該スライスのインター予測に用いられる１以上の参照ピクチャリストに含まれる複数の参照ピクチャの順序を特定する（Ｓ１０１）。ここで、ある参照ピクチャリスト（参照ピクチャリスト０など）に含まれる所定の位置の参照ピクチャ（１番目のピクチャなど）はコーロケーテッド参照ピクチャを示す。
【００５１】
次に、画像符号化装置１００は、スライスのインター予測で時間動きベクトル予測を用いるか否かを示す時間動きベクトル予測フラグをスライスヘッダに書き込む（Ｓ１０２）。次に、画像符号化装置１００は、時間動きベクトル予測フラグが、時間動きベクトル予測を用いると示しているのか、用いないと示しているのかを判定する（Ｓ１０３）。このフラグの値は、例えば、時間動きベクトル予測を用いない場合は「０」であり、用いる場合は「１」である。
【００５２】
時間動きベクトル予測を用いるとフラグが示している場合（Ｓ１０４でＹｅｓ）、画像符号化装置１００は、コーロケーテッド参照ピクチャの動きベクトルから導出される少なくとも一つの時間動きベクトルの予測値を含む動きベクトル予測値の第１リストを作成する（Ｓ１０５）。次に、画像符号化装置１００は、スライスに含まれる処理対象のサンプルブロックに対する動きベクトルの予測値を第１リストから選択する（Ｓ１０６）。次に、画像符号化装置１００は、選択された動きベクトルの予測値を示す第１パラメータ（動きベクトル予測値選択パラメータ）を符号化ビットストリーム１３２に書き込む（Ｓ１０７）。
【００５３】
一方、時間動きベクトル予測を用いないとフラグが示している場合（Ｓ１０４でＮｏ）、画像符号化装置１００は、時間動きベクトルの予測値を含まない動きベクトル予測値の第２リストを作成する（Ｓ１０８）。次に、画像符号化装置１００は、スライスに含まれる処理対象のサンプルブロックに対する動きベクトルの予測値を第２リストから選択する（Ｓ１０９）。次に、画像符号化装置１００は、選択された動きベクトルの予測値を示す第２パラメータ（動きベクトル予測値選択パラメータ）を符号化ビットストリーム１３２に書き込む（Ｓ１１０）。
【００５４】
ステップＳ１０７又はＳ１１０の後、画像符号化装置１００は、ステップＳ１０６又はステップＳ１０９で選択された動きベクトルの予測値を用いて動き補償インター予測を行うことで、予測サンプルブロック（予測画像１３１）を生成する（Ｓ１１１）。次に、画像符号化装置１００は、元のサンプルブロック（入力画像１２０）から予測サンプルブロック（予測画像１３１）を減算することで残差サンプルブロック（残差信号１２１）を生成する（Ｓ１１２）。そして、画像符号化装置１００は、対象ブロックに対応する残差サンプルブロックを符号化することで符号化ビットストリーム１３２を生成する（Ｓ１１３）。
【００５５】
ここで、時間動きベクトル予測フラグにより、１つのスライスは、他のスライスとは独立して制御される。また、画像符号化装置１００は、ＤＰＢ内の参照ピクチャにはマーキング処理を行わない。また、本実施の形態では、時間動きベクトル予測フラグの値は、同一ピクチャ内の複数のスライスで異なってもよい。
【００５６】
また、本実施の形態では、動きベクトル予測値の第１リストと第２リストとでは動きベクトルの予測値の数が異なり、第２リストのほうが第１リストよりも予測値の数が１つ少ない。また、どちらのリストも、時間動きベクトルの予測値以外の動きベクトルの予測値は同じである。符号化ビットストリーム１３２において、選択された動きベクトル予測値を表す第１パラメータと第２パラメータとに、異なるビット表現が用いられてもよい。例えば、算術符号化の２値化又は可変長符号化において最大値が異なる端数処理が用いられてもよい。
【００５７】
なお、第１リストと第２リストとの動きベクトル予測値の数は同じであってもよい。この場合、時間動きベクトル予測の予測値の代わりに、第２リストは、第１リストには存在しない非時間的な動きベクトルの予測値を含む。この非時間的な動きベクトルの予測値は、時間的に独立して、つまり、参照ピクチャからの動きベクトルを用いずに導出される。この非時間的な動きベクトルの予測値は、例えば、対象ブロックと同一ピクチャ内の隣接ブロックを１以上用いて導出された空間動きベクトル予測値がある。なお、この非時間的な動きベクトルの予測値は、水平動きベクトル成分と垂直動きベクトルとがゼロに等しいゼロ動きベクトル予測値であってもよい。
【００５８】
以下、本実施の形態に係る符号化処理の別の例を説明する。図３は、本実施の形態に係る、複数のピクチャを符号化する符号化処理のフローチャートである。
【００５９】
まず、画像符号化装置１００は、符号化対象の複数のピクチャから、時間動きベクトル予測リフレッシュ用の開始ピクチャを選択する（Ｓ１２１）。時間動きベクトル予測のリフレッシュとは、動きベクトル予測の依存状態が伝播するのを開始ピクチャで終了させることである。
【００６０】
ここで、画像符号化装置１００は、符号化順序が開始ピクチャより後の全ピクチャの符号化において、当該開始ピクチャより前にあるピクチャを時間動きベクトル予測に利用しない。この時間動きベクトル予測のリフレッシュにより、時間動きベクトル予測のミスマッチにより生じる再構成エラーを訂正することができるリカバリーポイントが符号化ビットストリーム１３２内に配置される。これにより、エラーロバスト性が向上する。
【００６１】
次に、画像符号化装置１００は、開始ピクチャに含まれる全てのスライスを符号化する。また、画像符号化装置１００は、開始ピクチャに含まれる全てのスライスの時間動きベクトル予測フラグを「時間動きベクトル予測を用いない」（例えば、フラグ値「０」）に設定する（Ｓ１２２）。すなわち、開始ピクチャに含まれる全てのスライスに対して、時間動きベクトル予測が利用されない。
【００６２】
次に、画像符号化装置１００は、符号化順序が開始ピクチャより後である後続ピクチャに含まれるスライスが、符号化順序が開始ピクチャより前のコーロケーテッド参照ピクチャを有するか否かを判定する（Ｓ１２３）。
【００６３】
当該後続ピクチャに含まれるスライスのコーロケーテッド参照ピクチャが開始ピクチャより前にある場合（Ｓ１２４でＹｅｓ）、画像符号化装置１００は、当該後続ピクチャに含まれるスライスを符号化する。このとき画像符号化装置１００は、当該後続ピクチャのスライスの時間動きベクトル予測フラグを「時間動きベクトル予測を用いない」（例えば、フラグ値「０」）に設定する（Ｓ１２５）。すなわち、符号化順序が開始ピクチャを越える時間動きベクトル予測は無効になる。
【００６４】
一方、当該後続ピクチャのスライスのコーロケーテッド参照ピクチャが開始ピクチャより前にない（つまり、開始ピクチャ又は符号化順序が後のピクチャがコーロケーテッド参照ピクチャである）場合（Ｓ１２４でＮｏ）、画像符号化装置１００は、当該後続ピクチャのスライスを符号化する。このとき、画像符号化装置１００は、当該後続ピクチャのスライスの時間動きベクトル予測フラグを「時間動きベクトル予測を用いる」（例えば、フラグ値「１」）に設定するか、「時間動きベクトル予測を用いない」（例えば、フラグ値「０」）に設定する（Ｓ１２６）。すなわち、コーロケーテッド参照ピクチャの符号化順序が開始ピクチャより前でなければ、対象スライスには、時間動きベクトル予測を用いるか否かの選択肢がある。また、本実施の形態において、時間動きベクトル予測を用いるか否かの選択は、符号化効率が最大になるか否かに基づいて決定される。
【００６５】
以上のように、画像符号化装置１００は、図４Ａに示すように、複数のピクチャから第１ピクチャ（開始ピクチャ）を選択する（Ｓ１４１）。
【００６６】
次に、画像符号化装置１００は、第１ピクチャに対応付けられた第１時間動きベクトル予測フラグを時間動きベクトル予測が用いられないに設定し、当該第１時間動きベクトル予測フラグを符号化する（Ｓ１４２）。具体的には、画像符号化装置１００は時間動きベクトル予測が用いられないことを示す第１時間動きベクトル予測フラグを、第１ピクチャに含まれる全てのスライスのヘッダに書き込む。
【００６７】
また、画像符号化装置１００は、第１ピクチャを時間動きベクトル予測を用いずに符号化する（Ｓ１４３）。次に、画像符号化装置１００は、第１ピクチャにより符号化順が後の第２ピクチャを、第１ピクチャより符号化順が前のピクチャの動きベクトルを参照することを禁止して符号化する（Ｓ１４４）。
【００６８】
これにより、画像符号化装置１００は、第１ピクチャの後続の第２ピクチャが、第１ピクチャより前のピクチャの動きベクトルを参照することを禁止できるので、第１ピクチャを跨いでエラーが伝播することを防止できる。よって、当該画像符号化装置１００は、ロバスト性を向上できる。
【００６９】
なお、ステップＳ１４２とステップＳ１４３の順序は入れ替わってもよい。
【００７０】
例えば、図４Ｂに示すように、ピクチャ４の符号化時には、開始ピクチャ２より前あるピクチャ０及びピクチャ１の動きベクトルが参照されることが禁止される。また、図４Ｃに示すように、符号化順と表示順（出力順）とが異なる場合にも同様である。図４Ｃに示す例では、ピクチャ４の符号化時には、開始ピクチャ１より前あるピクチャ０の動きベクトルが参照されることが禁止される。なお、図４Ｂ及び図４Ｃにおいて、ピクチャの番号（ピクチャ０、ピクチャ１・・・）は符号化順を示す。
【００７１】
ここで、上記ステップＳ１４１及びＳ１４２の一部は、画像符号化装置１００に含まれる設定部により実行される。また、上記ステップＳ１４２の一部、Ｓ１４３及びＳ１４４は、画像符号化装置１００に含まれる符号化部により実行される。例えば、設定部は、図１に示す制御部１１３に含まれる。また、符号化部の主な機能は、図１に示すインター予測部１１０、可変長符号化部１１２及び制御部１１３により実現される。
【００７２】
また、ここでは、開始ピクチャより後の後続ピクチャが、開始ピクチャより前のピクチャの動きベクトルを参照することを禁止する方法として、後続ピクチャに時間動きベクトル予測を用いない方法を示したが、これ以外の方法を用いてもよい。
【００７３】
例えば、画像符号化装置１００は、後続ピクチャのコーロケーテッド参照ピクチャが開始ピクチャの前である場合に、当該コーロケーテッド参照ピクチャを、開始ピクチャ又は開始ピクチャより後のピクチャに変更してもよい。
【００７４】
または、画像符号化装置１００は、後続ピクチャのコーロケーテッド参照ピクチャが開始ピクチャの前である場合に、時間動きベクトル予測フラグを「時間動きベクトル予測を用いない」に設定するのではなく、時間動きベクトルの予測値を含まない動きベクトル予測値のリスト（上記第２リスト）を作成してもよい。また、画像符号化装置１００は、時間動きベクトルの予測値を含む動きベクトル予測値のリストを作成する場合でも、時間動きベクトルの予測値を選択しないように、例えば、時間動きベクトルの予測値に割り当てられるインデックスを選択しないようにして符号化処理を行ってもよい。
【００７５】
以下、本実施の形態に係る符号化処理の変形例を説明する。図５は、本実施の形態の変形例に係る、複数のピクチャを符号化する符号化処理のフローチャートである。
【００７６】
画像符号化装置１００は、複数のピクチャから、時間動きベクトル予測リフレッシュ用の開始ピクチャを選択する（Ｓ１６１）。そして、画像符号化装置１００は、開始ピクチャに含まれる全てのスライスを符号化する。また、画像符号化装置１００は、開始ピクチャに含まれる全てのスライスの時間動きベクトル予測フラグを「時間動きベクトル予測を用いない」に設定する（Ｓ１６２）。
【００７７】
次に、画像符号化装置１００は、符号化順序が開始ピクチャより後である後続ピクチャが、出力順序（一般に表示順序とも呼ばれる）が開始ピクチャより前であるか否かを判定する（Ｓ１６３）。
【００７８】
当該後続ピクチャの出力順序が開始ピクチャより前である場合（Ｓ１６４でＹｅｓ）、画像符号化装置１００は、当該後続ピクチャのスライスを符号化する。このとき、画像符号化装置１００は、当該後続ピクチャのスライスの時間動きベクトル予測フラグを「時間動きベクトル予測を用いる」（例えば、フラグ値「１」）に設定するか、「時間動きベクトル予測を用いない」（例えば、フラグ値「０」）に設定する（Ｓ１６５）。すなわち、後続ピクチャの出力順序が開始ピクチャより前である場合、後続ピクチャのスライスには、時間動きベクトル予測を用いるか否かの選択肢がある。本実施の形態において、時間動きベクトル予測を用いるか否かの選択は、符号化効率が最大になるか否かに基づいて決定される。
【００７９】
一方、後続ピクチャの出力順序が開始ピクチャより前でない（出力順序が開始ピクチャの後ろである）場合（Ｓ１６４でＮｏ）、画像符号化装置１００は、後続ピクチャに含まれるスライスが、符号化順序か出力順序かのどちらかで開始ピクチャより前であるコーロケーテッド参照ピクチャを有するか否かを判定する（Ｓ１６６）。
【００８０】
当該後続ピクチャに含まれるスライスのコーロケーテッド参照ピクチャが符号化順序か出力順序かのどちらかで開始ピクチャより前である場合（Ｓ１６７でＹｅｓ）、画像符号化装置１００は、当該後続ピクチャに含まれるスライスを符号化する。このとき、画像符号化装置１００は、当該スライスの時間動きベクトル予測フラグを「時間動きベクトル予測を用いない」（例えば、フラグ値「０」）に設定する（Ｓ１６８）。すなわち、符号化順序か出力順序かのどちらかで開始ピクチャを越える時間動きベクトル予測は無効になる。
【００８１】
一方、当該後続ピクチャに含まれるスライスのコーロケーテッド参照ピクチャが符号化順序か出力順序かのどちらかで開始ピクチャより前でない場合（Ｓ１６７でＮｏ）、画像符号化装置１００は、当該後続ピクチャに含まれるスライスを符号化する。このとき、画像符号化装置１００は、当該スライスの時間動きベクトル予測フラグを「時間動きベクトル予測を用いる」（例えば、フラグ値「１」）、又は、「時間動きベクトル予測を用いない」（例えば、フラグ値「０」）に設定する（Ｓ１６９）。すなわち、コーロケーテッド参照ピクチャの符号化順序と出力順序とが開始ピクチャより後ろであれば、対象スライスには、時間動きベクトル予測を用いるか否かの選択肢がある。本実施の形態において、時間動きベクトル予測を用いるか否かの選択は、符号化効率が最大になるか否かに基づいて決定される。
【００８２】
また、上記画像符号化処理の例では、基準制限を以下のように設けている。
【００８３】
開始ピクチャの時間レベルは優先順位が最も高いものとする。優先順位が最も高い時間レベルの一例が、ＨＥＶＣ画像符号化方式の時間レベルが０、つまり、スライスのＮＡＬ  （Ｎｅｔｗｏｒｋ  Ａｂｓｔｒａｃｔｉｏｎ  Ｌａｙｅｒ：ネットワーク抽象化層）ユニットのヘッダ内にあるｔｅｍｐｏｒａｌ＿ｉｄが０に等しいことである（図４Ｃを参照）。
【００８４】
ここで、時間レベル（時間階層）とは、ある時間レベルのピクチャ（スライス）は、同じ時間レベル、又は、自分の時間レベルより高い時間レベルのピクチャの情報を参照可能であることを示す。例えば、最も高い時間レベル（ｔｅｍｐｏｒａｌ＿ｉｄ＝０）のピクチャは、最も高い時間レベルのピクチャのみを用いて符号化される。言い換えると、最も高い時間レベル（ｔｅｍｐｏｒａｌ＿ｉｄ＝０）のピクチャは、最も高い時間レベルのピクチャのみを用いて復号できる。
【００８５】
開始ピクチャに含まれる全てのスライスは、時間動きベクトル予測を使用しないものとする（例えば、フラグ値を「０」に設定）。したがって、開始ピクチャは、優先順位が最も高い時間レベルのピクチャとして特定され（例えば、ｔｅｍｐｏｒａｌ＿ｉｄが０）、時間動きベクトル予測フラグは「使用しない」（フラグ値が「０」）を示す。
【００８６】
開始ピクチャより後のピクチャはいずれも、図３（符号化順序条件を利用）又は図５（符号化順序及び出力順序条件を利用）で説明したような、当該開始ピクチャを越える時間動きベクトル予測を使用しないものとする。
【００８７】
また、符号化ビットストリーム１３２は、上記基準制限に従うものとする。
【００８８】
本実施の形態に係る画像復号装置は、（上記基準制限に対する）ビットストリームの不適合を検出することができ、このような不適合を検出した場合には任意でエラー処理を行う。例えば、画像復号装置は、不適合ブロック（又はスライス）を、復号対象ピクチャより前であり、かつ復号対象ピクチャに最も近い先行再構成ピクチャに含まれるコーロケーテッドブロック（又はスライス）で置き換えることにより、当該不適合ブロック（又はスライス）を隠してもよい。
【００８９】
［シンタックス］
図６は、本実施の形態に係る時間動きベクトル予測フラグの位置を示すシンタックス図である。
【００９０】
図６に示すように、１以上の参照ピクチャリストに含まれる複数の参照ピクチャの順序を特定する参照ピクチャリスト順序パラメータは、スライスヘッダに含まれる。このパラメータにより、画像符号化装置及び画像復号装置は、スライスヘッダに対応するスライスのインター予測に用いる参照ピクチャリストの有効又は最終的な順序を決定する。また、このパラメータにより、１以上の初期参照ピクチャリストに行われる並べ替え処理が規定されてもよいし、初期参照ピクチャリストを並び替えずに用いると規定されてもよい。ここで初期参照ピクチャリストは、予め定められた順序付け方式を用いて作成された参照ピクチャリストである。
【００９１】
また、時間動きベクトル予測フラグは、参照ピクチャリスト順序パラメータと同様にスライスヘッダに含まれる。時間動きベクトル予測フラグは、当該スライスヘッダに対応するスライスで時間動きベクトル予測を用いるか否かを示す。
【００９２】
動きベクトル予測値選択パラメータは、予測単位ごとに設けられている。この動きベクトル予測値選択パラメータは、予測単位のインター予測に利用可能な複数の動きベクトル予測値の中から、当該予測単位のインター予測で選択された１つの動きベクトル予測値を示す。
【００９３】
時間レベルパラメータは、スライスヘッダに含まれる。上述したように、画像符号化装置１００は、この時間レベルパラメータを用いて、複数のピクチャから、時間動きベクトル予測リフレッシュ用の開始ピクチャを選択する。具体的には、画像符号化装置１００は、複数のピクチャのうち、最大の時間レベルを有するピクチャを開始ピクチャとして選択する。
【００９４】
なお、参照ピクチャリスト順序パラメータ及び時間動きベクトル予測フラグは、同じピクチャに含まれる複数のスライスで共有されるヘッダに含まれてもよい。このようなヘッダとは、例えば、適応パラメータセット（ＡＰＳ）のヘッダである。
【００９５】
スライス分割は、１つのピクチャを複数のサブピクチャ区分に分割する方法のうちの１つである。よって、タイル、エントロピースライス、又は波面分割単位など他のサブピクチャ分割方法を用いた場合に本実施の形態を適用してもよい。つまり、スライスヘッダに含まれるこれらのパラメータがサブピクチャ単位のヘッダに含まれてもよい。
【００９６】
［符号化処理の効果］
以上より、本実施の形態に係る画像符号化装置１００は、時間動きベクトル予測値を用いたインター予測のエラーロバスト性を向上できる。また、画像符号化装置１００は、同じピクチャに含まれる複数のスライスにおいて独立して時間動きベクトル予測値を有効及び無効に設定できるので、インター予測の符号化効率及び柔軟性を向上できる。
【００９７】
［復号装置］
次に、本実施の形態に係る画像復号装置２００について説明する。この画像復号装置２００は、上述した画像符号化装置１００により生成された符号化ビットストリーム１３２を復号する。
【００９８】
図７は、本実施の形態に係る画像復号装置２００の構造を示すブロック図である。
【００９９】
この画像復号装置２００は、符号化ビットストリーム２３２をブロック単位で復号することで復号画像２２６を生成する。ここで、符号化ビットストリーム２３２は、例えば、上述した画像符号化装置１００により生成された符号化ビットストリーム１３２である。
【０１００】
図７に示すように、画像復号装置２００は、可変長復号部２１２（エントロピー復号部）と、逆量子化部２０４と、逆直交変換部２０５と、加算器２０６と、ブロックメモリ２０７と、フレームメモリ２０８（ピクチャメモリ）と、イントラ予測部２０９と、インター予測部２１０と、切替部２１１とを備える。
【０１０１】
可変長復号部２１２は、符号化ビットストリーム２３２を復号することで量子化係数２２３を生成する。逆量子化部２０４は、量子化係数２２３を逆量子化することで変換係数２２４を生成する。逆直交変換部２０５は、変換係数２２４を逆周波数変換することで残差信号２２５を生成する。加算器２０６は、残差信号２２５と予測画像２３１とを加算することで復号画像２２６を生成する。この復号画像２２６は、例えば、表示部に出力される。また、この復号画像２２６は、今後の予測処理のためにブロックメモリ２０７及びフレームメモリ２０８に、それぞれ画像信号２２７及び２２８として格納される。
【０１０２】
イントラ予測部２０９は、ブロックメモリ２０７に格納された画像信号２２７を用いてイントラ予測処理を行うことで予測画像２２９を生成する。例えば、イントラ予測部２０９は、処理対象の画像に含まれる処理済の画像領域から、処理対象の画像領域に最も類似する画像領域を検出する。インター予測部２１０は、フレームメモリ２０８に格納された画像信号２２８を用いて、インター予測処理を行うことで予測画像２３０を生成する。例えば、インター予測部２１０は、処理済の他の画像に含まれる、処理対象の画像領域に最も類似する画像領域を検出する。切替部２１１は、予測画像２２９及び２３０の一方を選択し、選択した予測画像を予測画像２３１として出力する。
【０１０３】
また、可変長復号部２１２は、復号対象スライスのインター予測に時間動きベクトル予測を用いるか否かを示す時間動きベクトル予測フラグ２３３を符号化ビットストリーム２３２から取得する。このフラグに基づき、インター予測部２１０は、時間動きベクトル予測値を用いて、又は、用いずにインター予測を行う。
【０１０４】
［復号処理］
次に、上述した画像復号装置２００の動作を説明する。図８は、本実施の形態に係る画像復号処理のフローチャートである。
【０１０５】
まず、画像復号装置２００は、参照ピクチャリスト順序パラメータをスライスヘッダから取得する（Ｓ２０１）。また、画像復号装置２００は、参照ピクチャリスト順序パラメータに従い、当該スライスのインター予測に用いられる、１以上の参照ピクチャリストに含まれる複数の参照ピクチャの順序を特定する。ここで、ある参照ピクチャリストに含まれる、特定の位置の参照ピクチャは、コーロケーテッド参照ピクチャを示す。
【０１０６】
次に、画像復号装置２００は、時間動きベクトル予測フラグをスライスヘッダから取得する（Ｓ２０２）。次に、画像復号装置２００は、このフラグが、時間動きベクトル予測を用いると示しているのか、用いないと示しているのかを判定する（Ｓ２０３）。
【０１０７】
時間動きベクトル予測を用いるとフラグが示している場合（Ｓ２０４でＹｅｓ）、画像復号装置２００は、コーロケーテッド参照ピクチャの動きベクトルから導出される少なくとも一つの時間動きベクトルの予測値を含む動きベクトル予測値の第１リストを作成する（Ｓ２０５）。次に、画像復号装置２００は、符号化ビットストリーム２３２から第１パラメータ（動きベクトル予測値選択パラメータ）を取得する（Ｓ２０６）。この第１パラメータは、スライスに含まれる復号対象サンプルブロックに対して、第１リスト中から選択された動きベクトル予測値を示す。
【０１０８】
一方、時間動きベクトル予測を用いないとフラグが示している場合（Ｓ２０４でＮｏ）、画像復号装置２００は、時間動きベクトルの予測値を含まない動きベクトル予測値の第２リストを作成する（Ｓ２０７）。次に、画像復号装置２００は、符号化ビットストリーム２３２から第２パラメータ（動きベクトル予測値選択パラメータ）を取得する（Ｓ２０８）。ここで、第２パラメータは、スライスに含まれる復号対象サンプルブロックに対して、第２リストの中から選択された動きベクトルの予測値を示す。
【０１０９】
ステップＳ２０６又はＳ２０８の後、画像復号装置２００は、第１パラメータ又は第２パラメータで示される動きベクトルの予測値を用いて動き補償インター予測を行うことで、予測サンプルブロック（予測画像２３１）を生成する（Ｓ２０９）。次に、画像復号装置２００は、符号化ビットストリーム２３２から残差サンプルブロック（残差信号２２５）を復号する（Ｓ２１０）。最後に、画像復号装置２００は、予測サンプルブロック（予測画像２３１）と残差サンプルブロック（残差信号２２５）とを加算することで、復号対象ブロックに対応する再構成サンプルブロック（復号画像２２６）を生成する（Ｓ２１１）。
【０１１０】
また、本実施の形態に係る画像復号装置２００は、図９に示すように、符号化ビットストリーム２３２から、第１ピクチャ（開始ピクチャ）に時間動きベクトル予測が用いられないことを示す第１時間動きベクトル予測フラグを取得する（Ｓ２４１）。具体的には、画像復号装置２００は、時間動きベクトル予測が用いられないことを示す第１時間動きベクトル予測フラグを、第１ピクチャに含まれる全てのスライスのヘッダから取得する。
【０１１１】
次に、画像復号装置２００は、第１ピクチャを時間動きベクトル予測を用いずに復号する（Ｓ２４２）。次に、画像復号装置２００は、第１ピクチャにより復号順が後の第２ピクチャを、第１ピクチャより復号順が前のピクチャの動きベクトルを参照することを禁止して復号する（Ｓ２４３）。なお、これらの処理の詳細は、上述した画像符号化装置１００の処理に対応する。
【０１１２】
ここで、上記ステップＳ２４１は、画像復号装置２００に含まれる取得部により実行される。また、上記ステップＳ２４２及びＳ２４３は、画像復号装置２００に含まれる復号部により実行される。例えば、取得部は、図７に示す可変長復号部２１２に含まれる。また、復号部の主な機能は、図７に示すインター予測部２１０により実現される。
【０１１３】
［復号発明の効果］
以上より、本実施の形態に係る画像復号装置２００は、時間動きベクトル予測値を用いたインター予測のエラーロバスト性、柔軟性、及び、符号化効率を向上させて符号化された符号化ビットストリームを復号できる。
【０１１４】
以上、実施の形態に係る画像符号化装置に及び画像復号装置ついて説明したが、本発明は、この実施の形態に限定されるものではない。
【０１１５】
また、上記実施の形態に係る画像符号化装置及び画像復号装置に含まれる各処理部は典型的には集積回路であるＬＳＩとして実現される。これらは個別に１チップ化されてもよいし、一部又は全てを含むように１チップ化されてもよい。
【０１１６】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０１１７】
上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１１８】
さらに、本発明は上記ソフトウェアプログラムであってもよいし、上記プログラムが記録された非一時的なコンピュータ読み取り可能な記録媒体であってもよい。また、上記プログラムは、インターネット等の伝送媒体を介して流通させることができるのは言うまでもない。
【０１１９】
また、上記で用いた数字は、全て本発明を具体的に説明するために例示するものであり、本発明は例示された数字に制限されない。
【０１２０】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１２１】
また、上記の画像符号化方法又は画像復号方法に含まれるステップが実行される順序は、本発明を具体的に説明するために例示するためのものであり、上記以外の順序であってもよい。また、上記ステップの一部が、他のステップと同時（並列）に実行されてもよい。
【０１２２】
以上、本発明の一つまたは複数の態様に係る画像符号化装置及び画像復号装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【０１２３】
（実施の形態２）
上記各実施の形態で示した動画像符号化方法（画像符号化方法）または動画像復号化方法（画像復号方法）の構成を実現するためのプログラムを記憶メディアに記録することにより、上記各実施の形態で示した処理を独立したコンピュータシステムにおいて簡単に実施することが可能となる。記憶メディアは、磁気ディスク、光ディスク、光磁気ディスク、ＩＣカード、半導体メモリ等、プログラムを記録できるものであればよい。
【０１２４】
さらにここで、上記各実施の形態で示した動画像符号化方法（画像符号化方法）や動画像復号化方法（画像復号方法）の応用例とそれを用いたシステムを説明する。当該システムは、画像符号化方法を用いた画像符号化装置、及び画像復号方法を用いた画像復号装置からなる画像符号化復号装置を有することを特徴とする。システムにおける他の構成について、場合に応じて適切に変更することができる。
【０１２５】
図１０は、コンテンツ配信サービスを実現するコンテンツ供給システムex１００の全体構成を示す図である。通信サービスの提供エリアを所望の大きさに分割し、各セル内にそれぞれ固定無線局である基地局ex１０６、ex１０７、ex１０８、ex１０９、ex１１０が設置されている。
【０１２６】
このコンテンツ供給システムex１００は、インターネットex１０１にインターネットサービスプロバイダex１０２および電話網ex１０４、および基地局ex１０６からex１１０を介して、コンピュータex１１１、ＰＤＡ（Personal Digital Assistant）ex１１２、カメラex１１３、携帯電話ex１１４、ゲーム機ex１１５などの各機器が接続される。
【０１２７】
しかし、コンテンツ供給システムex１００は図１０のような構成に限定されず、いずれかの要素を組合せて接続するようにしてもよい。また、固定無線局である基地局ex１０６からex１１０を介さずに、各機器が電話網ex１０４に直接接続されてもよい。また、各機器が近距離無線等を介して直接相互に接続されていてもよい。
【０１２８】
カメラex１１３はデジタルビデオカメラ等の動画撮影が可能な機器であり、カメラex１１６はデジタルカメラ等の静止画撮影、動画撮影が可能な機器である。また、携帯電話ex１１４は、ＧＳＭ（登録商標）（Global System for Mobile Communications）方式、ＣＤＭＡ（Code Division Multiple Access）方式、Ｗ−ＣＤＭＡ（Wideband-Code Division Multiple Access）方式、若しくはＬＴＥ（Long Term Evolution）方式、ＨＳＰＡ(High Speed Packet Access)の携帯電話機、またはＰＨＳ（Personal Handyphone System）等であり、いずれでも構わない。
【０１２９】
コンテンツ供給システムex１００では、カメラex１１３等が基地局ex１０９、電話網ex１０４を通じてストリーミングサーバex１０３に接続されることで、ライブ配信等が可能になる。ライブ配信では、ユーザがカメラex１１３を用いて撮影するコンテンツ（例えば、音楽ライブの映像等）に対して上記各実施の形態で説明したように符号化処理を行い（即ち、本発明の一態様に係る画像符号化装置として機能する）、ストリーミングサーバex１０３に送信する。一方、ストリーミングサーバex１０３は要求のあったクライアントに対して送信されたコンテンツデータをストリーム配信する。クライアントとしては、上記符号化処理されたデータを復号化することが可能な、コンピュータex１１１、ＰＤＡex１１２、カメラex１１３、携帯電話ex１１４、ゲーム機ex１１５等がある。配信されたデータを受信した各機器では、受信したデータを復号化処理して再生する（即ち、本発明の一態様に係る画像復号装置として機能する）。
【０１３０】
なお、撮影したデータの符号化処理はカメラex１１３で行っても、データの送信処理をするストリーミングサーバex１０３で行ってもよいし、互いに分担して行ってもよい。同様に配信されたデータの復号化処理はクライアントで行っても、ストリーミングサーバex１０３で行ってもよいし、互いに分担して行ってもよい。また、カメラex１１３に限らず、カメラex１１６で撮影した静止画像および／または動画像データを、コンピュータex１１１を介してストリーミングサーバex１０３に送信してもよい。この場合の符号化処理はカメラex１１６、コンピュータex１１１、ストリーミングサーバex１０３のいずれで行ってもよいし、互いに分担して行ってもよい。
【０１３１】
また、これら符号化・復号化処理は、一般的にコンピュータex１１１や各機器が有するＬＳＩex５００において処理する。ＬＳＩex５００は、ワンチップであっても複数チップからなる構成であってもよい。なお、動画像符号化・復号化用のソフトウェアをコンピュータex１１１等で読み取り可能な何らかの記録メディア（ＣＤ−ＲＯＭ、フレキシブルディスク、ハードディスクなど）に組み込み、そのソフトウェアを用いて符号化・復号化処理を行ってもよい。さらに、携帯電話ex１１４がカメラ付きである場合には、そのカメラで取得した動画データを送信してもよい。このときの動画データは携帯電話ex１１４が有するＬＳＩex５００で符号化処理されたデータである。
【０１３２】
また、ストリーミングサーバex１０３は複数のサーバや複数のコンピュータであって、データを分散して処理したり記録したり配信するものであってもよい。
【０１３３】
以上のようにして、コンテンツ供給システムex１００では、符号化されたデータをクライアントが受信して再生することができる。このようにコンテンツ供給システムex１００では、ユーザが送信した情報をリアルタイムでクライアントが受信して復号化し、再生することができ、特別な権利や設備を有さないユーザでも個人放送を実現できる。
【０１３４】
なお、コンテンツ供給システムex１００の例に限らず、図１１に示すように、デジタル放送用システムex２００にも、上記各実施の形態の少なくとも動画像符号化装置（画像符号化装置）または動画像復号化装置（画像復号装置）のいずれかを組み込むことができる。具体的には、放送局ex２０１では映像データに音楽データなどが多重化された多重化データが電波を介して通信または衛星ex２０２に伝送される。この映像データは上記各実施の形態で説明した動画像符号化方法により符号化されたデータである（即ち、本発明の一態様に係る画像符号化装置によって符号化されたデータである）。これを受けた放送衛星ex２０２は、放送用の電波を発信し、この電波を衛星放送の受信が可能な家庭のアンテナex２０４が受信する。受信した多重化データを、テレビ（受信機）ex３００またはセットトップボックス（ＳＴＢ）ex２１７等の装置が復号化して再生する（即ち、本発明の一態様に係る画像復号装置として機能する）。
【０１３５】
また、ＤＶＤ、ＢＤ等の記録メディアex２１５に記録した多重化データを読み取り復号化する、または記録メディアex２１５に映像信号を符号化し、さらに場合によっては音楽信号と多重化して書き込むリーダ／レコーダex２１８にも上記各実施の形態で示した動画像復号化装置または動画像符号化装置を実装することが可能である。この場合、再生された映像信号はモニタex２１９に表示され、多重化データが記録された記録メディアex２１５により他の装置やシステムにおいて映像信号を再生することができる。また、ケーブルテレビ用のケーブルex２０３または衛星／地上波放送のアンテナex２０４に接続されたセットトップボックスex２１７内に動画像復号化装置を実装し、これをテレビのモニタex２１９で表示してもよい。このときセットトップボックスではなく、テレビ内に動画像復号化装置を組み込んでもよい。
【０１３６】
図１２は、上記各実施の形態で説明した動画像復号化方法および動画像符号化方法を用いたテレビ（受信機）ex３００を示す図である。テレビex３００は、上記放送を受信するアンテナex２０４またはケーブルex２０３等を介して映像データに音声データが多重化された多重化データを取得、または出力するチューナex３０１と、受信した多重化データを復調する、または外部に送信する多重化データに変調する変調／復調部ex３０２と、復調した多重化データを映像データと、音声データとに分離する、または信号処理部ex３０６で符号化された映像データ、音声データを多重化する多重／分離部ex３０３を備える。
【０１３７】
また、テレビex３００は、音声データ、映像データそれぞれを復号化する、またはそれぞれの情報を符号化する音声信号処理部ex３０４、映像信号処理部ex３０５（本発明の一態様に係る画像符号化装置または画像復号装置として機能する）を有する信号処理部ex３０６と、復号化した音声信号を出力するスピーカex３０７、復号化した映像信号を表示するディスプレイ等の表示部ex３０８を有する出力部ex３０９とを有する。さらに、テレビex３００は、ユーザ操作の入力を受け付ける操作入力部ex３１２等を有するインタフェース部ex３１７を有する。さらに、テレビex３００は、各部を統括的に制御する制御部ex３１０、各部に電力を供給する電源回路部ex３１１を有する。インタフェース部ex３１７は、操作入力部ex３１２以外に、リーダ／レコーダex２１８等の外部機器と接続されるブリッジex３１３、ＳＤカード等の記録メディアex２１６を装着可能とするためのスロット部ex３１４、ハードディスク等の外部記録メディアと接続するためのドライバex３１５、電話網と接続するモデムex３１６等を有していてもよい。なお記録メディアex２１６は、格納する不揮発性／揮発性の半導体メモリ素子により電気的に情報の記録を可能としたものである。テレビex３００の各部は同期バスを介して互いに接続されている。
【０１３８】
まず、テレビex３００がアンテナex２０４等により外部から取得した多重化データを復号化し、再生する構成について説明する。テレビex３００は、リモートコントローラex２２０等からのユーザ操作を受け、ＣＰＵ等を有する制御部ex３１０の制御に基づいて、変調／復調部ex３０２で復調した多重化データを多重／分離部ex３０３で分離する。さらにテレビex３００は、分離した音声データを音声信号処理部ex３０４で復号化し、分離した映像データを映像信号処理部ex３０５で上記各実施の形態で説明した復号化方法を用いて復号化する。復号化した音声信号、映像信号は、それぞれ出力部ex３０９から外部に向けて出力される。出力する際には、音声信号と映像信号が同期して再生するよう、バッファex３１８、ex３１９等に一旦これらの信号を蓄積するとよい。また、テレビex３００は、放送等からではなく、磁気／光ディスク、ＳＤカード等の記録メディアex２１５、ex２１６から多重化データを読み出してもよい。次に、テレビex３００が音声信号や映像信号を符号化し、外部に送信または記録メディア等に書き込む構成について説明する。テレビex３００は、リモートコントローラex２２０等からのユーザ操作を受け、制御部ex３１０の制御に基づいて、音声信号処理部ex３０４で音声信号を符号化し、映像信号処理部ex３０５で映像信号を上記各実施の形態で説明した符号化方法を用いて符号化する。符号化した音声信号、映像信号は多重／分離部ex３０３で多重化され外部に出力される。多重化する際には、音声信号と映像信号が同期するように、バッファex３２０、ex３２１等に一旦これらの信号を蓄積するとよい。なお、バッファex３１８、ex３１９、ex３２０、ex３２１は図示しているように複数備えていてもよいし、１つ以上のバッファを共有する構成であってもよい。さらに、図示している以外に、例えば変調／復調部ex３０２や多重／分離部ex３０３の間等でもシステムのオーバフロー、アンダーフローを避ける緩衝材としてバッファにデータを蓄積することとしてもよい。
【０１３９】
また、テレビex３００は、放送等や記録メディア等から音声データ、映像データを取得する以外に、マイクやカメラのＡＶ入力を受け付ける構成を備え、それらから取得したデータに対して符号化処理を行ってもよい。なお、ここではテレビex３００は上記の符号化処理、多重化、および外部出力ができる構成として説明したが、これらの処理を行うことはできず、上記受信、復号化処理、外部出力のみが可能な構成であってもよい。
【０１４０】
また、リーダ／レコーダex２１８で記録メディアから多重化データを読み出す、または書き込む場合には、上記復号化処理または符号化処理はテレビex３００、リーダ／レコーダex２１８のいずれで行ってもよいし、テレビex３００とリーダ／レコーダex２１８が互いに分担して行ってもよい。
【０１４１】
一例として、光ディスクからデータの読み込みまたは書き込みをする場合の情報再生／記録部ex４００の構成を図１３に示す。情報再生／記録部ex４００は、以下に説明する要素ex４０１、ex４０２、ex４０３、ex４０４、ex４０５、ex４０６、ex４０７を備える。光ヘッドex４０１は、光ディスクである記録メディアex２１５の記録面にレーザスポットを照射して情報を書き込み、記録メディアex２１５の記録面からの反射光を検出して情報を読み込む。変調記録部ex４０２は、光ヘッドex４０１に内蔵された半導体レーザを電気的に駆動し記録データに応じてレーザ光の変調を行う。再生復調部ex４０３は、光ヘッドex４０１に内蔵されたフォトディテクタにより記録面からの反射光を電気的に検出した再生信号を増幅し、記録メディアex２１５に記録された信号成分を分離して復調し、必要な情報を再生する。バッファex４０４は、記録メディアex２１５に記録するための情報および記録メディアex２１５から再生した情報を一時的に保持する。ディスクモータex４０５は記録メディアex２１５を回転させる。サーボ制御部ex４０６は、ディスクモータex４０５の回転駆動を制御しながら光ヘッドex４０１を所定の情報トラックに移動させ、レーザスポットの追従処理を行う。システム制御部ex４０７は、情報再生／記録部ex４００全体の制御を行う。上記の読み出しや書き込みの処理はシステム制御部ex４０７が、バッファex４０４に保持された各種情報を利用し、また必要に応じて新たな情報の生成・追加を行うと共に、変調記録部ex４０２、再生復調部ex４０３、サーボ制御部ex４０６を協調動作させながら、光ヘッドex４０１を通して、情報の記録再生を行うことにより実現される。システム制御部ex４０７は例えばマイクロプロセッサで構成され、読み出し書き込みのプログラムを実行することでそれらの処理を実行する。
【０１４２】
以上では、光ヘッドex４０１はレーザスポットを照射するとして説明したが、近接場光を用いてより高密度な記録を行う構成であってもよい。
【０１４３】
図１４に光ディスクである記録メディアex２１５の模式図を示す。記録メディアex２１５の記録面には案内溝（グルーブ）がスパイラル状に形成され、情報トラックex２３０には、予めグルーブの形状の変化によってディスク上の絶対位置を示す番地情報が記録されている。この番地情報はデータを記録する単位である記録ブロックex２３１の位置を特定するための情報を含み、記録や再生を行う装置において情報トラックex２３０を再生し番地情報を読み取ることで記録ブロックを特定することができる。また、記録メディアex２１５は、データ記録領域ex２３３、内周領域ex２３２、外周領域ex２３４を含んでいる。ユーザデータを記録するために用いる領域がデータ記録領域ex２３３であり、データ記録領域ex２３３より内周または外周に配置されている内周領域ex２３２と外周領域ex２３４は、ユーザデータの記録以外の特定用途に用いられる。情報再生／記録部ex４００は、このような記録メディアex２１５のデータ記録領域ex２３３に対して、符号化された音声データ、映像データまたはそれらのデータを多重化した多重化データの読み書きを行う。
【０１４４】
以上では、１層のＤＶＤ、ＢＤ等の光ディスクを例に挙げ説明したが、これらに限ったものではなく、多層構造であって表面以外にも記録可能な光ディスクであってもよい。また、ディスクの同じ場所にさまざまな異なる波長の色の光を用いて情報を記録したり、さまざまな角度から異なる情報の層を記録したりなど、多次元的な記録／再生を行う構造の光ディスクであってもよい。
【０１４５】
また、デジタル放送用システムex２００において、アンテナex２０５を有する車ex２１０で衛星ex２０２等からデータを受信し、車ex２１０が有するカーナビゲーションex２１１等の表示装置に動画を再生することも可能である。なお、カーナビゲーションex２１１の構成は例えば図１２に示す構成のうち、ＧＰＳ受信部を加えた構成が考えられ、同様なことがコンピュータex１１１や携帯電話ex１１４等でも考えられる。
【０１４６】
図１５Ａは、上記実施の形態で説明した動画像復号化方法および動画像符号化方法を用いた携帯電話ex１１４を示す図である。携帯電話ex１１４は、基地局ex１１０との間で電波を送受信するためのアンテナex３５０、映像、静止画を撮ることが可能なカメラ部ex３６５、カメラ部ex３６５で撮像した映像、アンテナex３５０で受信した映像等が復号化されたデータを表示する液晶ディスプレイ等の表示部ex３５８を備える。携帯電話ex１１４は、さらに、操作キー部ex３６６を有する本体部、音声を出力するためのスピーカ等である音声出力部ex３５７、音声を入力するためのマイク等である音声入力部ex３５６、撮影した映像、静止画、録音した音声、または受信した映像、静止画、メール等の符号化されたデータもしくは復号化されたデータを保存するメモリ部ex３６７、又は同様にデータを保存する記録メディアとのインタフェース部であるスロット部ex３６４を備える。
【０１４７】
さらに、携帯電話ex１１４の構成例について、図１５Ｂを用いて説明する。携帯電話ex１１４は、表示部ex３５８及び操作キー部ex３６６を備えた本体部の各部を統括的に制御する主制御部ex３６０に対して、電源回路部ex３６１、操作入力制御部ex３６２、映像信号処理部ex３５５、カメラインタフェース部ex３６３、ＬＣＤ（Liquid Crystal Display）制御部ex３５９、変調／復調部ex３５２、多重／分離部ex３５３、音声信号処理部ex３５４、スロット部ex３６４、メモリ部ex３６７がバスex３７０を介して互いに接続されている。
【０１４８】
電源回路部ex３６１は、ユーザの操作により終話及び電源キーがオン状態にされると、バッテリパックから各部に対して電力を供給することにより携帯電話ex１１４を動作可能な状態に起動する。
【０１４９】
携帯電話ex１１４は、ＣＰＵ、ＲＯＭ、ＲＡＭ等を有する主制御部ex３６０の制御に基づいて、音声通話モード時に音声入力部ex３５６で収音した音声信号を音声信号処理部ex３５４でデジタル音声信号に変換し、これを変調／復調部ex３５２でスペクトラム拡散処理し、送信／受信部ex３５１でデジタルアナログ変換処理および周波数変換処理を施した後にアンテナex３５０を介して送信する。また携帯電話ex１１４は、音声通話モード時にアンテナex３５０を介して受信した受信データを増幅して周波数変換処理およびアナログデジタル変換処理を施し、変調／復調部ex３５２でスペクトラム逆拡散処理し、音声信号処理部ex３５４でアナログ音声信号に変換した後、これを音声出力部ex３５７から出力する。
【０１５０】
さらにデータ通信モード時に電子メールを送信する場合、本体部の操作キー部ex３６６等の操作によって入力された電子メールのテキストデータは操作入力制御部ex３６２を介して主制御部ex３６０に送出される。主制御部ex３６０は、テキストデータを変調／復調部ex３５２でスペクトラム拡散処理をし、送信／受信部ex３５１でデジタルアナログ変換処理および周波数変換処理を施した後にアンテナex３５０を介して基地局ex１１０へ送信する。電子メールを受信する場合は、受信したデータに対してこのほぼ逆の処理が行われ、表示部ex３５８に出力される。
【０１５１】
データ通信モード時に映像、静止画、または映像と音声を送信する場合、映像信号処理部ex３５５は、カメラ部ex３６５から供給された映像信号を上記各実施の形態で示した動画像符号化方法によって圧縮符号化し（即ち、本発明の一態様に係る画像符号化装置として機能する）、符号化された映像データを多重／分離部ex３５３に送出する。また、音声信号処理部ex３５４は、映像、静止画等をカメラ部ex３６５で撮像中に音声入力部ex３５６で収音した音声信号を符号化し、符号化された音声データを多重／分離部ex３５３に送出する。
【０１５２】
多重／分離部ex３５３は、映像信号処理部ex３５５から供給された符号化された映像データと音声信号処理部ex３５４から供給された符号化された音声データを所定の方式で多重化し、その結果得られる多重化データを変調／復調部（変調／復調回路部）ex３５２でスペクトラム拡散処理をし、送信／受信部ex３５１でデジタルアナログ変換処理及び周波数変換処理を施した後にアンテナex３５０を介して送信する。
【０１５３】
データ通信モード時にホームページ等にリンクされた動画像ファイルのデータを受信する場合、または映像およびもしくは音声が添付された電子メールを受信する場合、アンテナex３５０を介して受信された多重化データを復号化するために、多重／分離部ex３５３は、多重化データを分離することにより映像データのビットストリームと音声データのビットストリームとに分け、同期バスex３７０を介して符号化された映像データを映像信号処理部ex３５５に供給するとともに、符号化された音声データを音声信号処理部ex３５４に供給する。映像信号処理部ex３５５は、上記各実施の形態で示した動画像符号化方法に対応した動画像復号化方法によって復号化することにより映像信号を復号し（即ち、本発明の一態様に係る画像復号装置として機能する）、ＬＣＤ制御部ex３５９を介して表示部ex３５８から、例えばホームページにリンクされた動画像ファイルに含まれる映像、静止画が表示される。また音声信号処理部ex３５４は、音声信号を復号し、音声出力部ex３５７から音声が出力される。
【０１５４】
また、上記携帯電話ex１１４等の端末は、テレビex３００と同様に、符号化器・復号化器を両方持つ送受信型端末の他に、符号化器のみの送信端末、復号化器のみの受信端末という３通りの実装形式が考えられる。さらに、デジタル放送用システムex２００において、映像データに音楽データなどが多重化された多重化データを受信、送信するとして説明したが、音声データ以外に映像に関連する文字データなどが多重化されたデータであってもよいし、多重化データではなく映像データ自体であってもよい。
【０１５５】
このように、上記各実施の形態で示した動画像符号化方法あるいは動画像復号化方法を上述したいずれの機器・システムに用いることは可能であり、そうすることで、上記各実施の形態で説明した効果を得ることができる。
【０１５６】
また、本発明はかかる上記実施の形態に限定されるものではなく、本発明の範囲を逸脱することなく種々の変形または修正が可能である。
【０１５７】
（実施の形態３）
上記各実施の形態で示した動画像符号化方法または装置と、ＭＰＥＧ−２、ＭＰＥＧ４−ＡＶＣ、ＶＣ−１など異なる規格に準拠した動画像符号化方法または装置とを、必要に応じて適宜切替えることにより、映像データを生成することも可能である。
【０１５８】
ここで、それぞれ異なる規格に準拠する複数の映像データを生成した場合、復号する際に、それぞれの規格に対応した復号方法を選択する必要がある。しかしながら、復号する映像データが、どの規格に準拠するものであるか識別できないため、適切な復号方法を選択することができないという課題を生じる。
【０１５９】
この課題を解決するために、映像データに音声データなどを多重化した多重化データは、映像データがどの規格に準拠するものであるかを示す識別情報を含む構成とする。上記各実施の形態で示す動画像符号化方法または装置によって生成された映像データを含む多重化データの具体的な構成を以下説明する。多重化データは、ＭＰＥＧ−２トランスポートストリーム形式のデジタルストリームである。
【０１６０】
図１６は、多重化データの構成を示す図である。図１６に示すように多重化データは、ビデオストリーム、オーディオストリーム、プレゼンテーショングラフィックスストリーム（ＰＧ）、インタラクティブグラフィックスストリームのうち、１つ以上を多重化することで得られる。ビデオストリームは映画の主映像および副映像を、オーディオストリーム（ＩＧ）は映画の主音声部分とその主音声とミキシングする副音声を、プレゼンテーショングラフィックスストリームは、映画の字幕をそれぞれ示している。ここで主映像とは画面に表示される通常の映像を示し、副映像とは主映像の中に小さな画面で表示する映像のことである。また、インタラクティブグラフィックスストリームは、画面上にＧＵＩ部品を配置することにより作成される対話画面を示している。ビデオストリームは、上記各実施の形態で示した動画像符号化方法または装置、従来のＭＰＥＧ−２、ＭＰＥＧ４−ＡＶＣ、ＶＣ−１などの規格に準拠した動画像符号化方法または装置によって符号化されている。オーディオストリームは、ドルビーＡＣ−３、Ｄｏｌｂｙ  Ｄｉｇｉｔａｌ  Ｐｌｕｓ、ＭＬＰ、ＤＴＳ、ＤＴＳ−ＨＤ、または、リニアＰＣＭのなどの方式で符号化されている。
【０１６１】
多重化データに含まれる各ストリームはＰＩＤによって識別される。例えば、映画の映像に利用するビデオストリームには０ｘ１０１１が、オーディオストリームには０ｘ１１００から０ｘ１１１Ｆまでが、プレゼンテーショングラフィックスには０ｘ１２００から０ｘ１２１Ｆまでが、インタラクティブグラフィックスストリームには０ｘ１４００から０ｘ１４１Ｆまでが、映画の副映像に利用するビデオストリームには０ｘ１Ｂ００から０ｘ１Ｂ１Ｆまで、主音声とミキシングする副音声に利用するオーディオストリームには０ｘ１Ａ００から０ｘ１Ａ１Ｆが、それぞれ割り当てられている。
【０１６２】
図１７は、多重化データがどのように多重化されるかを模式的に示す図である。まず、複数のビデオフレームからなるビデオストリームex２３５、複数のオーディオフレームからなるオーディオストリームex２３８を、それぞれＰＥＳパケット列ex２３６およびex２３９に変換し、ＴＳパケットex２３７およびex２４０に変換する。同じくプレゼンテーショングラフィックスストリームex２４１およびインタラクティブグラフィックスex２４４のデータをそれぞれＰＥＳパケット列ex２４２およびex２４５に変換し、さらにＴＳパケットex２４３およびex２４６に変換する。多重化データex２４７はこれらのＴＳパケットを１本のストリームに多重化することで構成される。
【０１６３】
図１８は、ＰＥＳパケット列に、ビデオストリームがどのように格納されるかをさらに詳しく示している。図１８における第１段目はビデオストリームのビデオフレーム列を示す。第２段目は、ＰＥＳパケット列を示す。図１８の矢印ｙｙ１，ｙｙ２，ｙｙ３，ｙｙ４に示すように、ビデオストリームにおける複数のＶｉｄｅｏ  Ｐｒｅｓｅｎｔａｔｉｏｎ  ＵｎｉｔであるＩピクチャ、Ｂピクチャ、Ｐピクチャは、ピクチャ毎に分割され、ＰＥＳパケットのペイロードに格納される。各ＰＥＳパケットはＰＥＳヘッダを持ち、ＰＥＳヘッダには、ピクチャの表示時刻であるＰＴＳ（Ｐｒｅｓｅｎｔａｔｉｏｎ  Ｔｉｍｅ−Ｓｔａｍｐ）やピクチャの復号時刻であるＤＴＳ（Ｄｅｃｏｄｉｎｇ  Ｔｉｍｅ−Ｓｔａｍｐ）が格納される。
【０１６４】
図１９は、多重化データに最終的に書き込まれるＴＳパケットの形式を示している。ＴＳパケットは、ストリームを識別するＰＩＤなどの情報を持つ４ＢｙｔｅのＴＳヘッダとデータを格納する１８４ＢｙｔｅのＴＳペイロードから構成される１８８Ｂｙｔｅ固定長のパケットであり、上記ＰＥＳパケットは分割されＴＳペイロードに格納される。ＢＤ−ＲＯＭの場合、ＴＳパケットには、４ＢｙｔｅのＴＰ＿Ｅｘｔｒａ＿Ｈｅａｄｅｒが付与され、１９２Ｂｙｔｅのソースパケットを構成し、多重化データに書き込まれる。ＴＰ＿Ｅｘｔｒａ＿ＨｅａｄｅｒにはＡＴＳ（Ａｒｒｉｖａｌ＿Ｔｉｍｅ＿Ｓｔａｍｐ）などの情報が記載される。ＡＴＳは当該ＴＳパケットのデコーダのＰＩＤフィルタへの転送開始時刻を示す。多重化データには図１９下段に示すようにソースパケットが並ぶこととなり、多重化データの先頭からインクリメントする番号はＳＰＮ（ソースパケットナンバー）と呼ばれる。
【０１６５】
また、多重化データに含まれるＴＳパケットには、映像・音声・字幕などの各ストリーム以外にもＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＰＣＲ（Ｐｒｏｇｒａｍ  Ｃｌｏｃｋ  Ｒｅｆｅｒｅｎｃｅ）などがある。ＰＡＴは多重化データ中に利用されるＰＭＴのＰＩＤが何であるかを示し、ＰＡＴ自身のＰＩＤは０で登録される。ＰＭＴは、多重化データ中に含まれる映像・音声・字幕などの各ストリームのＰＩＤと各ＰＩＤに対応するストリームの属性情報を持ち、また多重化データに関する各種ディスクリプタを持つ。ディスクリプタには多重化データのコピーを許可・不許可を指示するコピーコントロール情報などがある。ＰＣＲは、ＡＴＳの時間軸であるＡＴＣ（Ａｒｒｉｖａｌ  Ｔｉｍｅ  Ｃｌｏｃｋ）とＰＴＳ・ＤＴＳの時間軸であるＳＴＣ（Ｓｙｓｔｅｍ  Ｔｉｍｅ  Ｃｌｏｃｋ）の同期を取るために、そのＰＣＲパケットがデコーダに転送されるＡＴＳに対応するＳＴＣ時間の情報を持つ。
【０１６６】
図２０はＰＭＴのデータ構造を詳しく説明する図である。ＰＭＴの先頭には、そのＰＭＴに含まれるデータの長さなどを記したＰＭＴヘッダが配置される。その後ろには、多重化データに関するディスクリプタが複数配置される。上記コピーコントロール情報などが、ディスクリプタとして記載される。ディスクリプタの後には、多重化データに含まれる各ストリームに関するストリーム情報が複数配置される。ストリーム情報は、ストリームの圧縮コーデックなどを識別するためストリームタイプ、ストリームのＰＩＤ、ストリームの属性情報（フレームレート、アスペクト比など）が記載されたストリームディスクリプタから構成される。ストリームディスクリプタは多重化データに存在するストリームの数だけ存在する。
【０１６７】
記録媒体などに記録する場合には、上記多重化データは、多重化データ情報ファイルと共に記録される。
【０１６８】
多重化データ情報ファイルは、図２１に示すように多重化データの管理情報であり、多重化データと１対１に対応し、多重化データ情報、ストリーム属性情報とエントリマップから構成される。
【０１６９】
多重化データ情報は図２１に示すようにシステムレート、再生開始時刻、再生終了時刻から構成されている。システムレートは多重化データの、後述するシステムターゲットデコーダのＰＩＤフィルタへの最大転送レートを示す。多重化データ中に含まれるＡＴＳの間隔はシステムレート以下になるように設定されている。再生開始時刻は多重化データの先頭のビデオフレームのＰＴＳであり、再生終了時刻は多重化データの終端のビデオフレームのＰＴＳに１フレーム分の再生間隔を足したものが設定される。
【０１７０】
ストリーム属性情報は図２２に示すように、多重化データに含まれる各ストリームについての属性情報が、ＰＩＤ毎に登録される。属性情報はビデオストリーム、オーディオストリーム、プレゼンテーショングラフィックスストリーム、インタラクティブグラフィックスストリーム毎に異なる情報を持つ。ビデオストリーム属性情報は、そのビデオストリームがどのような圧縮コーデックで圧縮されたか、ビデオストリームを構成する個々のピクチャデータの解像度がどれだけであるか、アスペクト比はどれだけであるか、フレームレートはどれだけであるかなどの情報を持つ。オーディオストリーム属性情報は、そのオーディオストリームがどのような圧縮コーデックで圧縮されたか、そのオーディオストリームに含まれるチャンネル数は何であるか、何の言語に対応するか、サンプリング周波数がどれだけであるかなどの情報を持つ。これらの情報は、プレーヤが再生する前のデコーダの初期化などに利用される。
【０１７１】
本実施の形態においては、上記多重化データのうち、ＰＭＴに含まれるストリームタイプを利用する。また、記録媒体に多重化データが記録されている場合には、多重化データ情報に含まれる、ビデオストリーム属性情報を利用する。具体的には、上記各実施の形態で示した動画像符号化方法または装置において、ＰＭＴに含まれるストリームタイプ、または、ビデオストリーム属性情報に対し、上記各実施の形態で示した動画像符号化方法または装置によって生成された映像データであることを示す固有の情報を設定するステップまたは手段を設ける。この構成により、上記各実施の形態で示した動画像符号化方法または装置によって生成した映像データと、他の規格に準拠する映像データとを識別することが可能になる。
【０１７２】
また、本実施の形態における動画像復号化方法のステップを図２３に示す。ステップexＳ１００において、多重化データからＰＭＴに含まれるストリームタイプ、または、多重化データ情報に含まれるビデオストリーム属性情報を取得する。次に、ステップexＳ１０１において、ストリームタイプ、または、ビデオストリーム属性情報が上記各実施の形態で示した動画像符号化方法または装置によって生成された多重化データであることを示しているか否かを判断する。そして、ストリームタイプ、または、ビデオストリーム属性情報が上記各実施の形態で示した動画像符号化方法または装置によって生成されたものであると判断された場合には、ステップexＳ１０２において、上記各実施の形態で示した動画像復号方法により候補から参照ピクチャや動きベクトルを選択して復号を行う。また、ストリームタイプ、または、ビデオストリーム属性情報が、従来のＭＰＥＧ−２、ＭＰＥＧ４−ＡＶＣ、ＶＣ−１などの規格に準拠するものであることを示している場合には、ステップexＳ１０３において、従来の規格に準拠した動画像復号方法により復号を行う。これは例えば、属性情報がＭＰＥＧ４−ＡＶＣ規格に準拠するものであることを示している場合であれば、複数候補から選択するのではなく、空間的又は時間的に隣接する周辺ブロックの動きベクトルから算出される動きベクトルを用いて復号を行う。
【０１７３】
このように、ストリームタイプ、または、ビデオストリーム属性情報に新たな固有値を設定することにより、復号する際に、上記各実施の形態で示した動画像復号化方法または装置で復号可能であるかを判断することができる。従って、異なる規格に準拠する多重化データが入力された場合であっても、適切な復号化方法または装置を選択することができるため、エラーを生じることなく復号することが可能となる。また、本実施の形態で示した動画像符号化方法または装置、または、動画像復号方法または装置を、上述したいずれの機器・システムに用いることも可能である。
【０１７４】
（実施の形態４）
上記各実施の形態で示した動画像符号化方法および装置、動画像復号化方法および装置は、典型的には集積回路であるＬＳＩで実現される。一例として、図２４に１チップ化されたＬＳＩex５００の構成を示す。ＬＳＩex５００は、以下に説明する要素ex５０１、ex５０２、ex５０３、ex５０４、ex５０５、ex５０６、ex５０７、ex５０８、ex５０９を備え、各要素はバスex５１０を介して接続している。電源回路部ex５０５は電源がオン状態の場合に各部に対して電力を供給することで動作可能な状態に起動する。
【０１７５】
例えば符号化処理を行う場合には、ＬＳＩex５００は、ＣＰＵex５０２、メモリコントローラex５０３、ストリームコントローラex５０４、駆動周波数制御部ex５１２等を有する制御部ex５０１の制御に基づいて、ＡＶ  Ｉ／Ｏex５０９によりマイクex１１７やカメラex１１３等からＡＶ信号を入力する。入力されたＡＶ信号は、一旦ＳＤＲＡＭ等の外部のメモリex５１１に蓄積される。制御部ex５０１の制御に基づいて、蓄積したデータは処理量や処理速度に応じて適宜複数回に分けるなどされ信号処理部ex５０７に送られ、信号処理部ex５０７において音声信号の符号化および／または映像信号の符号化が行われる。ここで映像信号の符号化処理は上記各実施の形態で説明した符号化処理である。信号処理部ex５０７ではさらに、場合により符号化された音声データと符号化された映像データを多重化するなどの処理を行い、ストリームＩ／Ｏex５０６から外部に出力する。この出力された多重化データは、基地局ex１０７に向けて送信されたり、または記録メディアex２１５に書き込まれたりする。なお、多重化する際には同期するよう、一旦バッファex５０８にデータを蓄積するとよい。
【０１７６】
なお、上記では、メモリex５１１がＬＳＩex５００の外部の構成として説明したが、ＬＳＩex５００の内部に含まれる構成であってもよい。バッファex５０８も１つに限ったものではなく、複数のバッファを備えていてもよい。また、ＬＳＩex５００は１チップ化されてもよいし、複数チップ化されてもよい。
【０１７７】
また、上記では、制御部ex５０１が、ＣＰＵex５０２、メモリコントローラex５０３、ストリームコントローラex５０４、駆動周波数制御部ex５１２等を有するとしているが、制御部ex５０１の構成は、この構成に限らない。例えば、信号処理部ex５０７がさらにＣＰＵを備える構成であってもよい。信号処理部ex５０７の内部にもＣＰＵを設けることにより、処理速度をより向上させることが可能になる。また、他の例として、ＣＰＵex５０２が信号処理部ex５０７、または信号処理部ex５０７の一部である例えば音声信号処理部を備える構成であってもよい。このような場合には、制御部ex５０１は、信号処理部ex５０７、またはその一部を有するＣＰＵex５０２を備える構成となる。
【０１７８】
なお、ここでは、ＬＳＩとしたが、集積度の違いにより、ＩＣ、システムＬＳＩ、スーパーＬＳＩ、ウルトラＬＳＩと呼称されることもある。
【０１７９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。このようなプログラマブル・ロジック・デバイスは、典型的には、ソフトウェア又はファームウェアを構成するプログラムを、ロードする又はメモリ等から読み込むことで、上記各実施の形態で示した動画像符号化方法、又は動画像復号化方法を実行することができる。
【０１８０】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１８１】
（実施の形態５）
上記各実施の形態で示した動画像符号化方法または装置によって生成された映像データを復号する場合、従来のＭＰＥＧ−２、ＭＰＥＧ４−ＡＶＣ、ＶＣ−１などの規格に準拠する映像データを復号する場合に比べ、処理量が増加することが考えられる。そのため、ＬＳＩex５００において、従来の規格に準拠する映像データを復号する際のＣＰＵex５０２の駆動周波数よりも高い駆動周波数に設定する必要がある。しかし、駆動周波数を高くすると、消費電力が高くなるという課題が生じる。
【０１８２】
この課題を解決するために、テレビex３００、ＬＳＩex５００などの動画像復号化装置は、映像データがどの規格に準拠するものであるかを識別し、規格に応じて駆動周波数を切替える構成とする。図２５は、本実施の形態における構成ex８００を示している。駆動周波数切替え部ex８０３は、映像データが、上記各実施の形態で示した動画像符号化方法または装置によって生成されたものである場合には、駆動周波数を高く設定する。そして、上記各実施の形態で示した動画像復号化方法を実行する復号処理部ex８０１に対し、映像データを復号するよう指示する。一方、映像データが、従来の規格に準拠する映像データである場合には、映像データが、上記各実施の形態で示した動画像符号化方法または装置によって生成されたものである場合に比べ、駆動周波数を低く設定する。そして、従来の規格に準拠する復号処理部ex８０２に対し、映像データを復号するよう指示する。
【０１８３】
より具体的には、駆動周波数切替え部ex８０３は、図２４のＣＰＵex５０２と駆動周波数制御部ex５１２から構成される。また、上記各実施の形態で示した動画像復号化方法を実行する復号処理部ex８０１、および、従来の規格に準拠する復号処理部ex８０２は、図２４の信号処理部ex５０７に該当する。ＣＰＵex５０２は、映像データがどの規格に準拠するものであるかを識別する。そして、ＣＰＵex５０２からの信号に基づいて、駆動周波数制御部ex５１２は、駆動周波数を設定する。また、ＣＰＵex５０２からの信号に基づいて、信号処理部ex５０７は、映像データの復号を行う。ここで、映像データの識別には、例えば、実施の形態３で記載した識別情報を利用することが考えられる。識別情報に関しては、実施の形態３で記載したものに限られず、映像データがどの規格に準拠するか識別できる情報であればよい。例えば、映像データがテレビに利用されるものであるか、ディスクに利用されるものであるかなどを識別する外部信号に基づいて、映像データがどの規格に準拠するものであるか識別可能である場合には、このような外部信号に基づいて識別してもよい。また、ＣＰＵex５０２における駆動周波数の選択は、例えば、図２７のような映像データの規格と、駆動周波数とを対応付けたルックアップテーブルに基づいて行うことが考えられる。ルックアップテーブルを、バッファex５０８や、ＬＳＩの内部メモリに格納しておき、ＣＰＵex５０２がこのルックアップテーブルを参照することにより、駆動周波数を選択することが可能である。
【０１８４】
図２６は、本実施の形態の方法を実施するステップを示している。まず、ステップexＳ２００では、信号処理部ex５０７において、多重化データから識別情報を取得する。次に、ステップexＳ２０１では、ＣＰＵex５０２において、識別情報に基づいて映像データが上記各実施の形態で示した符号化方法または装置によって生成されたものであるか否かを識別する。映像データが上記各実施の形態で示した符号化方法または装置によって生成されたものである場合には、ステップexＳ２０２において、駆動周波数を高く設定する信号を、ＣＰＵex５０２が駆動周波数制御部ex５１２に送る。そして、駆動周波数制御部ex５１２において、高い駆動周波数に設定される。一方、従来のＭＰＥＧ−２、ＭＰＥＧ４−ＡＶＣ、ＶＣ−１などの規格に準拠する映像データであることを示している場合には、ステップexＳ２０３において、駆動周波数を低く設定する信号を、ＣＰＵex５０２が駆動周波数制御部ex５１２に送る。そして、駆動周波数制御部ex５１２において、映像データが上記各実施の形態で示した符号化方法または装置によって生成されたものである場合に比べ、低い駆動周波数に設定される。
【０１８５】
さらに、駆動周波数の切替えに連動して、ＬＳＩex５００またはＬＳＩex５００を含む装置に与える電圧を変更することにより、省電力効果をより高めることが可能である。例えば、駆動周波数を低く設定する場合には、これに伴い、駆動周波数を高く設定している場合に比べ、ＬＳＩex５００またはＬＳＩex５００を含む装置に与える電圧を低く設定することが考えられる。
【０１８６】
また、駆動周波数の設定方法は、復号する際の処理量が大きい場合に、駆動周波数を高く設定し、復号する際の処理量が小さい場合に、駆動周波数を低く設定すればよく、上述した設定方法に限らない。例えば、ＭＰＥＧ４−ＡＶＣ規格に準拠する映像データを復号する処理量の方が、上記各実施の形態で示した動画像符号化方法または装置により生成された映像データを復号する処理量よりも大きい場合には、駆動周波数の設定を上述した場合の逆にすることが考えられる。
【０１８７】
さらに、駆動周波数の設定方法は、駆動周波数を低くする構成に限らない。例えば、識別情報が、上記各実施の形態で示した動画像符号化方法または装置によって生成された映像データであることを示している場合には、ＬＳＩex５００またはＬＳＩex５００を含む装置に与える電圧を高く設定し、従来のＭＰＥＧ−２、ＭＰＥＧ４−ＡＶＣ、ＶＣ−１などの規格に準拠する映像データであることを示している場合には、ＬＳＩex５００またはＬＳＩex５００を含む装置に与える電圧を低く設定することも考えられる。また、他の例としては、識別情報が、上記各実施の形態で示した動画像符号化方法または装置によって生成された映像データであることを示している場合には、ＣＰＵex５０２の駆動を停止させることなく、従来のＭＰＥＧ−２、ＭＰＥＧ４−ＡＶＣ、ＶＣ−１などの規格に準拠する映像データであることを示している場合には、処理に余裕があるため、ＣＰＵex５０２の駆動を一時停止させることも考えられる。識別情報が、上記各実施の形態で示した動画像符号化方法または装置によって生成された映像データであることを示している場合であっても、処理に余裕があれば、ＣＰＵex５０２の駆動を一時停止させることも考えられる。この場合は、従来のＭＰＥＧ−２、ＭＰＥＧ４−ＡＶＣ、ＶＣ−１などの規格に準拠する映像データであることを示している場合に比べて、停止時間を短く設定することが考えられる。
【０１８８】
このように、映像データが準拠する規格に応じて、駆動周波数を切替えることにより、省電力化を図ることが可能になる。また、電池を用いてＬＳＩex５００またはＬＳＩex５００を含む装置を駆動している場合には、省電力化に伴い、電池の寿命を長くすることが可能である。
【０１８９】
（実施の形態６）
テレビや、携帯電話など、上述した機器・システムには、異なる規格に準拠する複数の映像データが入力される場合がある。このように、異なる規格に準拠する複数の映像データが入力された場合にも復号できるようにするために、ＬＳＩex５００の信号処理部ex５０７が複数の規格に対応している必要がある。しかし、それぞれの規格に対応する信号処理部ex５０７を個別に用いると、ＬＳＩex５００の回路規模が大きくなり、また、コストが増加するという課題が生じる。
【０１９０】
この課題を解決するために、上記各実施の形態で示した動画像復号方法を実行するための復号処理部と、従来のＭＰＥＧ−２、ＭＰＥＧ４−ＡＶＣ、ＶＣ−１などの規格に準拠する復号処理部とを一部共有化する構成とする。この構成例を図２８Ａのex９００に示す。例えば、上記各実施の形態で示した動画像復号方法と、ＭＰＥＧ４−ＡＶＣ規格に準拠する動画像復号方法とは、エントロピー符号化、逆量子化、デブロッキング・フィルタ、動き補償などの処理において処理内容が一部共通する。共通する処理内容については、ＭＰＥＧ４−ＡＶＣ規格に対応する復号処理部ex９０２を共有し、ＭＰＥＧ４−ＡＶＣ規格に対応しない、本発明の一態様に特有の他の処理内容については、専用の復号処理部ex９０１を用いるという構成が考えられる。特に、本発明の一態様は、インター予測に特徴を有していることから、例えば、インター予測については専用の復号処理部ex９０１を用い、それ以外のエントロピー復号、逆量子化、デブロッキング・フィルタ、動き補償のいずれか、または、全ての処理については、復号処理部を共有することが考えられる。復号処理部の共有化に関しては、共通する処理内容については、上記各実施の形態で示した動画像復号化方法を実行するための復号処理部を共有し、ＭＰＥＧ４−ＡＶＣ規格に特有の処理内容については、専用の復号処理部を用いる構成であってもよい。
【０１９１】
また、処理を一部共有化する他の例を図２８Ｂのex１０００に示す。この例では、本発明の一態様に特有の処理内容に対応した専用の復号処理部ex１００１と、他の従来規格に特有の処理内容に対応した専用の復号処理部ex１００２と、本発明の一態様に係る動画像復号方法と他の従来規格の動画像復号方法とに共通する処理内容に対応した共用の復号処理部ex１００３とを用いる構成としている。ここで、専用の復号処理部ex１００１、ex１００２は、必ずしも本発明の一態様、または、他の従来規格に特有の処理内容に特化したものではなく、他の汎用処理を実行できるものであってもよい。また、本実施の形態の構成を、ＬＳＩex５００で実装することも可能である。
【０１９２】
このように、本発明の一態様に係る動画像復号方法と、従来の規格の動画像復号方法とで共通する処理内容について、復号処理部を共有することにより、ＬＳＩの回路規模を小さくし、かつ、コストを低減することが可能である。
【産業上の利用可能性】
【０１９３】
本発明は、画像符号化方法、画像復号方法、画像符号化装置及び画像復号装置にて適用できる。例えば、本発明は、テレビ、デジタルビデオレコーダ、カーナビゲーションシステム、携帯電話、デジタルスチルカメラ及びデジタルビデオカメラ等の情報表示機器及び撮像機器に利用可能である。
【符号の説明】
【０１９４】
１００  画像符号化装置
１０１  減算器
１０２  直交変換部
１０３  量子化部
１０４、２０４  逆量子化部
１０５、２０５  逆直交変換部
１０６、２０６  加算器
１０７、２０７  ブロックメモリ
１０８、２０８  フレームメモリ
１０９、２０９  イントラ予測部
１１０、２１０  インター予測部
１１１、２１１  切替部
１１２  可変長符号化部
１１３  制御部
１２０  入力画像
１２１、１２５、２２５  残差信号
１２２、１２４、２２４  変換係数
１２３、２２３  量子化係数
１２６、２２６  復号画像
１２７、１２８、２２７、２２８  画像信号
１２９、１３０、１３１、２２９、２３０、２３１  予測画像
１３２、２３２  符号化ビットストリーム
１３３、２３３  時間動きベクトル予測フラグ
２００  画像復号装置
２１２  可変長復号部
【図１】
2013114860.tif 000003
【図２】
2013114860.tif 000004
【図３】
2013114860.tif 000005
【図４Ａ】
2013114860.tif 000006
【図４Ｂ】
2013114860.tif 000007
【図４Ｃ】
2013114860.tif 000008
【図５】
2013114860.tif 000009
【図６】
2013114860.tif 000010
【図７】
2013114860.tif 000011
【図８】
2013114860.tif 000012
【図９】
2013114860.tif 000013
【図１０】
2013114860.tif 000014
【図１１】
2013114860.tif 000015
【図１２】
2013114860.tif 000016
【図１３】
2013114860.tif 000017
【図１４】
2013114860.tif 000018
【図１５Ａ】
2013114860.tif 000019
【図１５Ｂ】
2013114860.tif 000020
【図１６】
2013114860.tif 000021
【図１７】
2013114860.tif 000022
【図１８】
2013114860.tif 000023
【図１９】
2013114860.tif 000024
【図２０】
2013114860.tif 000025
【図２１】
2013114860.tif 000026
【図２２】
2013114860.tif 000027
【図２３】
2013114860.tif 000028
【図２４】
2013114860.tif 000029
【図２５】
2013114860.tif 000030
【図２６】
2013114860.tif 000031
【図２７】
2013114860.tif 000032
【図２８Ａ】
2013114860.tif 000033
【図２８Ｂ】
2013114860.tif 000034
【手続補正書】
【提出日】平成25年5月30日(2013.5.30)
【手続補正１】
【補正対象書類名】特許請求の範囲
【補正対象項目名】全文
【補正方法】変更
【補正の内容】
【特許請求の範囲】
【請求項１】
複数のピクチャから第１ピクチャを選択する選択ステップと、
時間動きベクトル予測が用いられるか否かを示す時間動きベクトル予測フラグであって、前記第１ピクチャに対応付けられた第１時間動きベクトル予測フラグを時間動きベクトル予測が用いられないに設定し、当該第１時間動きベクトル予測フラグを符号化する第１設定ステップと、
前記第１ピクチャを時間動きベクトル予測を用いずに符号化する第１符号化ステップと、
前記第１ピクチャにより符号化順が後の第２ピクチャを、前記第１ピクチャより符号化順が前のピクチャの動きベクトルを参照することを禁止して符号化する第２符号化ステップとを含む
画像符号化方法。
【請求項２】
複数のピクチャから第１ピクチャを選択し、時間動きベクトル予測が用いられるか否かを示す時間動きベクトル予測フラグであって、前記第１ピクチャに対応付けられた第１時間動きベクトル予測フラグを時間動きベクトル予測が用いられないに設定する設定部と、
前記第１時間動きベクトル予測フラグを符号化し、前記第１ピクチャを時間動きベクトル予測を用いずに符号化し、前記第１ピクチャにより符号化順が後の第２ピクチャを、前記第１ピクチャより符号化順が前のピクチャの動きベクトルを参照することを禁止して符号化する符号化部とを備える
画像符号化装置。
【国際調査報告】
2013114860.tif 000035
2013114860.tif 000036
2013114860.tif 000037
2013114860.tif 000038